(57)【要約】      （修正有）【課題】複数の可動部材の斬新な動作を実現して、演出効果が高い遊技演出を行うことが可能な遊技機を提供する。【解決手段】遊技演出を行う演出役物装置300は、複数の可動部材302,303と、複数の可動部材の基端側を接近させた所定位置から、これら複数の可動部材の基端側に形成される空間306が拡大していくように、複数の可動部材を相互に異なる放射方向へ移動させる役物駆動手段とを備え、演出役物装置は、複数の可動部材が可動に連結された第１，第２部材311,320/325であって、相対的に移動可能に設けられた第１，第２部材を有し、役物駆動手段は、第１，第２部材の一方に対して他方を相対的に移動させる移動手段と、移動手段による第１，第２部材の一方に対する他方の相対的な移動を複数の可動部材の所定位置から放射方向への移動に変換する作動変換手段とを有する。【選択図】図２７
2016032492.tif 000002
【特許請求の範囲】
【請求項１】
遊技演出を行う演出役物装置を備えた遊技機において、
前記演出役物装置は、
複数の可動部材と、
前記複数の可動部材の基端側を接近させた所定位置から、これら複数の可動部材の基端側に形成される空間が拡大していくように、前記複数の可動部材を相互に異なる放射方向へ移動させる役物駆動手段とを備えたことを特徴とする遊技機。
【請求項２】
前記演出役物装置は、
前記複数の可動部材が可動に連結された第１，第２部材であって、相対的に移動可能に設けられた第１，第２部材を有し、
前記役物駆動手段は、
前記第１，第２部材の一方に対して他方を相対的に移動させる移動手段と、
前記移動手段による前記第１，第２部材の一方に対する他方の相対的な移動を前記複数の可動部材の前記所定位置から前記放射方向への移動に変換する作動変換手段とを有することを特徴とする請求項１に記載の遊技機。
【発明の詳細な説明】
【技術分野】
【０００１】
本発明は遊技機に関し、特に遊技演出を行う演出役物装置に関するものである。
【背景技術】
【０００２】
近年、遊技球を使用して遊技を行うパチンコ遊技機、またメダル（コイン）を使用して遊技を行う回胴式遊技機（スロットマシン）等の遊技機においては、その多くの機種に遊技演出用の画像表示装置が装備されているが、更に、遊技演出用の可動役物を有する演出役物装置を装備した機種（例えば、特許文献１，２参照）が公知である。
【０００３】
この演出役物装置は、機種特有の物を形成する可動役物と、この可動役物を移動させる役物駆動機構とを有し、通常は可動役物を退避位置に位置させるが、何らかの利益付与の示唆又は告知を行うために、可動役物を退避位置から作動位置へ移動させる。
【０００４】
特許文献１，２の演出役物装置は、上下２つの可動役物ユニットと、これら可動役物ユニットを夫々上下動させる上下２つの役物駆動機構とを有し、各可動役物ユニットには、その可動ベース部材に、前後に重ねて配置された第１，第２導光板と、これら導光板に導入する光を発する複数のＬＥＤを実装してなるＬＥＤ基板が取付けられている。
【先行技術文献】
【特許文献】
【０００５】
【特許文献１】特開２０１４−１１３号公報
【特許文献２】特開２０１３−６３１４３号公報
【発明の概要】
【発明が解決しようとする課題】
【０００６】
複数の可動部材を有する演出役物装置において、如何にそれら可動部材の斬新な動作を実現して、演出効果を高め得る構成とするかが課題である。
本発明の目的は、複数の可動役物の斬新な動作を実現可能な遊技機を提供することである。
【課題を解決するための手段】
【０００７】
第１の発明は、遊技演出を行う演出役物装置(300) を備えた遊技機(1) において、前記演出役物装置(300) は、複数の可動部材(302,303) と、前記複数の可動部材(302,303) の基端側を接近させた所定位置から、これら複数の可動部材(302,303) の基端側に形成される空間(306) が拡大していくように、前記複数の可動部材(302,303) を相互に異なる放射方向へ移動させる役物駆動手段(307) とを備えたことを特徴とする。
【０００８】
第２の発明は、第１の発明において、前記演出役物装置(300) は、前記複数の可動部材(302,303) が可動に連結された第１，第２部材(311,320/325) であって、相対的に移動可能に設けられた第１，第２部材(311,320/325) を有し、前記役物駆動手段(307) は、前記第１，第２部材(311,320/325) の一方に対して他方を相対的に移動させる移動手段(330) と、前記移動手段(330) による前記第１，第２部材(311,320/325) の一方に対する他方の相対的な移動を前記複数の可動部材(302,303) の前記所定位置から前記放射方向への移動に変換する作動変換手段(340) とを有することを特徴とする。
【０００９】
第２の発明において、前記複数の可動部材(302,303) は、複数の第１可動部材(302) と、前記複数の第１可動部材(302) に対して夫々可動に連結された複数の第２可動部材(303) とを有し、前記作動変換手段(340) は、前記複数の第１可動部材(302) を揺動させると共に、前記複数の第２可動部材(303) を前記複数の第１可動部材(302) よりも大きく揺動させるようにしてもよい。
【発明の効果】
【００１０】
本発明によれば、複数の可動部材の斬新な動作を実現して、演出効果が高い遊技演出を行うことが可能になる。
【図面の簡単な説明】
【００１１】
【図１】本発明の実施例１に係る回胴式遊技機の斜視図である。
【図２】遊技機の制御系のブロック図である。
【図３】画像表示器役物ユニットの斜視図である。
【図４】画像表示器役物ユニット（画像表示器と可動役物を取り外した状態）の斜視図である。
【図５】画像表示器役物ユニットの要部の前側から視た斜視図である。
【図６】画像表示器役物ユニットの後側から視た斜視図である。
【図７】画像表示器役物ユニットの平面図である。
【図８】画像表示器役物ユニットの正面図である。
【図９】画像表示器と第１案内機構と第１昇降駆動手段の揺動アーム部材等の後側から視た斜視図である。
【図１０】画像表示器と第１案内機構と第１昇降駆動手段の揺動アーム部材等の平面図である。
【図１１】画像表示器役物ユニットの左側面図である。
【図１２】図７のXII −XII 線断面図である。
【図１３】図７のXIII−XIII線断面図である。
【図１４】画像表示器役物ユニットの１対の第１昇降駆動ユニットと１対の第２案内駆動ユニットの平面図である。
【図１５】第１昇降駆動ユニットの後側からの斜視図である。
【図１６】第１昇降駆動ユニットの分解斜視図である。
【図１７】第１昇降駆動ユニットの一部切欠き縦断右側面図である。
【図１８】第２案内駆動ユニット（側面ベース部材取り外し状態）の左側面図である。
【図１９】第２案内駆動ユニットの分解斜視図である。
【図２０】第２案内駆動ユニット（側面ベース部材取り外し状態）の斜視図である。
【図２１】第２案内駆動ユニットを左側から視た斜視図である。
【図２２】第２案内駆動ユニットの要部の斜視図である。
【図２３】第２案内駆動ユニットを右側から視た斜視図である。
【図２４】実施例１に係る可動バー役物の初期状態の正面図である。
【図２５】可動バー役物の初期状態の前側からの斜視図である。
【図２６】可動バー役物の展開状態の正面図である。
【図２７】可動バー役物の展開状態の前側からの斜視図である。
【図２８】可動バー役物の展開途中状態の正面図である。
【図２９】可動バー役物の展開途中状態の前側からの斜視図である。
【図３０】可動バー役物の展開途中状態の背面図である。
【図３１】可動バー役物の展開途中状態の後側からの斜視図である。
【図３２】可動バー役物の上面図である。
【図３３】可動バー役物の下面図である。
【図３４】可動バー役物の複数の可動部材を分解した状態の前側からの斜視図である。
【図３５】複数の可動部材の後側からの分解斜視図である。
【図３６】可動バー役物のスライドベースを分解した状態の前側からの斜視図である。
【図３７】スライドベースの後側からの分解斜視図である。
【図３８】可動バー役物の複数の揺動アームと第１ベースを分解した状態の前側からの斜視図である。
【図３９】複数の揺動アームの後側からの分解斜視図である。
【図４０】可動バー役物の第１，第２，第３ベースを分解した状態の前側からの斜視図である。
【図４１】可動バー役物の第１，第２，第３ベースを分解した状態の後側からの斜視図である。
【図４２】可動バー役物のスライド板等を分解した状態の前側からの斜視図である。
【図４３】第２駆動手段の一部を示す正面図である。
【図４４】実施例１に係る電飾パネルの前側からの分解斜視図である。
【図４５】電飾パネルの後側からの分解斜視図である。
【図４６】電飾装置の前側からの分解斜視図である。
【図４７】電飾装置の後側からの分解斜視図である。
【図４８】主発光部材及び発光パネルの前側からの斜視図である。
【図４９】主発光部材及び発光パネルの正面図である。
【図５０】主発光部材の正面図である。
【図５１】主発光部材の背面図である。
【図５２】発光パネルの正面図である。
【図５３】発光パネルの背面図である。
【図５４】発光パネルと複数のＬＥＤとの位置関係を示す正面図である。
【図５５】発光パネルと複数のＬＥＤとの位置関係を示す背面図である。
【図５６】実施例２に係る電飾パネルの前側からの分解斜視図である。
【図５７】電飾パネルの後側からの分解斜視図である。
【図５８】電飾装置の前側からの分解斜視図である。
【図５９】電飾装置の後側からの分解斜視図である。
【図６０】電飾装置の左右の装飾板を省略した前側からの斜視図である。
【図６１】電飾装置のＬＥＤ基板を省略した後側からの斜視図である。
【図６２】発光パネルと複数の導光バーの後側からの分解斜視図である。
【図６３】中央電飾ユニットの前側からの分解斜視図である。
【図６４】中央電飾ユニットの後側からの分解斜視図である。
【図６５】発光パネル、左右の装飾板、及び中央電飾ユニットと複数のＬＥＤとの位置関係を示す正面図である。
【図６６】発光パネル及び中央電飾ユニットと複数のＬＥＤとの位置関係を示す背面図である。
【発明を実施するための形態】
【００１２】
次に、本発明を実施するための形態について、実施例に基づいて説明する。
【実施例１】
【００１３】
本発明に係る回胴式遊技機であるスロットマシンの実施例について、図面に基づいて説明する。図１、図２に示すように、このスロットマシン１は、遊技者側に面する前面扉２が箱状の筐体３の前面の開口を開閉可能にするためヒンジ機構により左端を回動支点として回動可能に取り付けられている。尚、以下の説明において、遊技者から視て手前側を前方、左右方向を左右方向として説明する。
【００１４】
前記筐体３は、上面板３ａと、左右の側面板３ｂ，３ｃと、底面板３ｄと、背面板３ｅとを有し、筐体３の前後幅は上方ほど小さく形成され、筐体３の前面の開口は鉛直面に対して後傾側（上方ほど後方へ移行）へ緩傾斜している。
【００１５】
前面扉２は、上部透明パネル（図示略）と、中段パネル部４と、操作パネル部５と、下部パネル部６を有し、これらは化粧板としての視覚効果を高めるようにデザインされた硬質合成樹脂により形成されている。
【００１６】
前面扉２の上部には、画像表示器７（液晶表示器）と可動役物８と案内駆動機構部１００Ａをユニット化した画像表示器役物ユニット１００が装備され、これらの前面側が箱状の上部透明パネルで覆われている。筐体３は、前面扉２を閉じた状態では、画像表示器役物ユニット１００の案内駆動機構部１００Ａを収納するようになっている。
【００１７】
筐体３の内部には、スロットマシン１の全体の動作を統括制御するメイン制御基板７０と、３つの円筒状の回転リールである左リール１１、中リール１２、右リール１３を有する回胴装置１０（リールユニット）と、電源装置、メダルの払い出し用のメダル排出スリットを有するホッパ装置５１と、ホッパ装置５１から溢れたメダルを収納する補助貯留部等を備えている。
【００１８】
回胴装置１０は、メイン制御基板７０からリール１１，１２，１３の回転や停止に関する制御信号を受けるリール基板４０によって３つのリール１１，１２，１３の回転や回転停止が制御される。
【００１９】
回胴装置１０は、筐体３の内部に付設された台座に対して引き出し及び押し戻し自在に載置されている。３つのリール１１，１２，１３は軸心を左右方向に水平に向けて並設され、それらリール１１，１２，１３の周面の前部を遊技者から視認可能になっている。
【００２０】
筐体３の内部には、電源装置、 配電盤に相当する電源装置基板５０が装備されており、電源装置基板５０には電源装置で発生する各種電源電圧を回胴装置１０やホッパ装置５１等の各所に配電する配電回路が設けられている。
【００２１】
前面扉２は、筐体３の開口を閉塞する位置で、操作パネル部５に形成された鍵穴９を有する施錠装置によりロックされ、ホールスタッフ等がメダル補給作業やメンテナンス作業や設定値変更等に等に伴う出玉管理作業等を行う場合に専用鍵で施錠を解除してロック状態を解除し、前面扉２を開放可能になっている。
【００２２】
前面扉２には、遊技に付随する演出を行う演出表示部が設けられ、この演出表示部は、動画等を表示する画像表示器７と、複数の演出用ランプ９２ａ〜９２ｄやサイドランプ９３ａ，９３ｂの発光により複数色に変化可能な複数の演出用発光部１４ａ，１４ｂ，１５ａ，１５ｂやサイド発光部１６ａ，１６ｂと、複数のスピーカ９４ａ〜９４ｄからの音響を放音可能な複数の放音部３１ａ，３１ｂ，３２ａ，３２ｂとを備えている。
【００２３】
画像表示器７の画面７ａと可動役物８は上部透明パネル（図示略）を通して視認可能であり、画像表示器７の画面７ａには遊技に関する情報を表示可能になっている。画像表示器７は、３つのリール１１，１２，１３の図柄を表示する表示窓４ａの上方に離隔した位置に配設されている。
【００２４】
前面扉２の上部の表示器役物ユニット１００の背面側には、演出制御基板８１と画像音響生成基板８７とを有するサブ制御基板８０が設けられ、メイン制御基板７０からサブ制御基板８０に演出開始を示唆する制御信号が供給されると、そのサブ制御基板８０により画像表示器７による動画像等の表示と、複数の演出用発光部１４ａ，１４ｂ，１5 ａ，１５ｂの点滅や点灯による演出と、複数の放音部１６ａ，１６ｂ，１７ａ，１７ｂからの効果音による演出等が行われるようになっている。
【００２５】
前面扉２の中段パネル部４には、回胴装置１０の３つのリール１１，１２，１３の図柄の確認を行える表示窓４ａが設けられている。この表示窓４ａには３つのリール１１，１２，１３に表記された複数の図柄のかちの一部の図柄を表示するようになっている。前記表示窓４ａの下方には、貯留枚数表示器１８、遊技進行表示器１９、払出枚数表示器２０等が設けられている。これらの表示器１８〜２０は、７セグメントＬＥＤで構成され、０〜９までの１０通りの数字で複数桁の数字を表示可能になっている。前記中段パネル部４と、貯留枚数表示器１８、遊技進行表示器１９、払出枚数表示器２０等の前面は透明パネル（図示略）で覆われている。
【００２６】
貯留枚数表示器１８には、クレジットされているメダルの枚数（最大５０枚）が表示され、その貯留枚数は、遊技停止中にメダル投入部２１から最大ベット数を超えて投入されたメダルの枚数や遊技で獲得したメダルの枚数を加算して表示される。遊技進行表示器１９には、遊技者に有利な特別遊技状態（ビッグボーナス、レギュラーボーナス等）が発生した際、その特別遊技状態の残りゲーム数等が数字で表示される。
【００２７】
払出枚数表示器２０には、３つのリール１１，１２，１３の停止に伴い、その有効ライン上に揃った図柄に応じたメダル払い出し枚数が数字で表示される。尚、払出枚数表示器２０は、スロットマシン１における出球率（メダルの払出率）を決定する際の設定値を表示可能である。
【００２８】
中段パネル部４の両側には高輝度発光ダイオードを内蔵したサイド発光部１６ａ，１６ｂが装備され、これらサイド発光部１６ａ，１６ｂは、リーチや大当たり等の際に点灯又は点滅して遊技者の視覚に訴える演出を行う。
【００２９】
前面扉２の操作パネル部５には、メダル投入部２１と、清算スイッチ２２（貯留払戻しスイッチ）と、ベットスイッチ２３と、ＭＡＸベットスイッチ２４と、スタートスイッチ２７と、３つのリール１１，１２，１３を夫々停止させる為の３つのストップスイッチ２８，２９，３０等が設けられている。メダルがクレジットされているとき、ベットスイッチ２３又はＭＡＸベットスイッチ２４を操作すると、クレジットされているメダルから１枚，２枚，３枚の何れかの枚数がベットされ、貯留枚数表示器１８の表示枚数が減算されて表示される。
【００３０】
前面扉２の操作パネル部５の背面には、操作パネル部５のベットスイッチ２３、ＭＡＸベットスイッチ２４、清算スイッチ２２、スタートスイッチ２７、３つのストップスイッチ２８〜３０等の各種操作スイッチが電気的に接続された中央表示基板６０が設けられており、これらのスイッチの出力信号が中央表示基板６０からメイン制御基板７０に転送されるようになっている。また、操作パネル部５には、遊技者が操作可能な演出ボタン２５が設けられ、演出ボタン２５にはその操作を検出する演出ボタン検出スイッチ９６が設けられている。
【００３１】
操作パネル部５には、遊技者による選択操作を受け付ける十字キー２６が設けられ、この十字キー２６は上下左右の４つの操作キーを有し、画像表示器７に表示された表示画像の選択操作等が可能である。上記の４つの操作キーの操作を検出する４つの操作キー検出スイッチ９７が設けられ、これら操作キー検出スイッチ９７が遊技者の操作を検出するとその選択に応じた選択が実行される。
【００３２】
中央表示基板６０には、スロットマシン１の出球率を設定する設定値（１〜６の６段階）を変更する場合に操作される設定スイッチ６１が設けられ、この設定スイッチ６１の操作に応じて払出枚数表示器２０に設定値が表示される。
【００３３】
前面扉２の下部パネル部６には、スロットマシン１のモデルタイプ等を遊技者へ認識させる為、登場キャラクタの絵柄を印刷したパネルも設けられている。
下部パネル部６の下方には、入賞時にメダルを排出するメダル排出口３４を有する受皿ユニット３５と、下部スピーカを内蔵しゲームの進行に応じた演出効果音を発生させる下部放音部１７ａ，１７ｂとが設けられている。
【００３４】
前面扉２の下部パネル部６の背面側には、メダル投入部２１から投入された物がメダルか異物かを判別して振り分けるセレクタ６２と、このセレクタ６２で振り分けられたメダルを筐体３内のホッパ装置５１へ案内するホッパガイド部材と、セレクタ６２で振り分けられた異物をメダル排出口３４へ案内するガイド部材と、ホッパ装置５１から排出されたメダルを受皿ユニット３５のメダル排出口３４側にガイドする払出ガイド部材とが設けられている。
【００３５】
次に、図２に基づいて、スロットマシンの制御システムについて説明する。
制御システムは、主としてメイン制御基板７０、サブ制御基板８０、中央表示基板６０、リール基板４０、電源装置基板５０を備え、それぞれが配線ケーブルによって接続されている。
【００３６】
メイン制御基板７０には、Ｉ／Ｆ回路７１（インタフェース回路）、メインＣＰＵ７２、乱数発生器７３、メインＲＯＭ７４、メインＲＡＭ７５等が設けられている。
メインＣＰＵ７２は、メインＲＯＭ７４に予め記憶されているシステムプログラムやスロットマシンゲーム用のプログラム等を読み込み、ゲームの進行に応じた所定の演算処理を実行して、サブ制御基板８０、リール基板４０、中央表示基板６０、電源装置基板５０等に対する分散制御を行う為の所定のコマンドを出力する。
【００３７】
メインＣＰＵ７２は、スタートスイッチ２７の検出（始動条件の成立）により表示窓４ａに表示される図柄を変動させ、その後、スタートスイッチ２７の検出に基づいて決定した所定の条件およびリールストップスイッチ２８〜３０の検出に従って図柄の変動を停止させる。乱数発生器７３は、役抽選の為の乱数を発生させる為のカウンタを有し、電源が投入されている間、常時０〜６５５３５の数値を発生させ、所定の契機（遊技者の操作）に基づいて１つの数値が乱数値として出力される。
【００３８】
メインＲＯＭ７４は、システムプログラムやスロットマシンゲーム用のプログラム等を記憶しているものであり、役の抽選処理に用いる役抽選テーブルや、回転リール１１，１２，１３の停止制御に用いる停止位置決定テーブル等を記憶している。メインＲＡＭ７５は、メインＣＰＵ７２によって実行されるシステムプログラム、スロットマシンゲーム用のプログラムや、メインＣＰＵ７２による演算結果等を一時的に記憶する。Ｉ／Ｆ回路７１は、サブ制御基板８０、中央表示基板６０、リール基板４０、電源装置基板５０、中央表示基板６０間でのコマンドの送受信を行う。
【００３９】
サブ制御基板８０は、主として演出を制御するものであり、演出制御基板８１と画像音響生成基板８７とを備えている。サブ制御基板８０には、演出ボタン検出スイッチ９６、選択ボタン検出スイッチ９７、演出用発光部１４ａ，１４ｂ，１５ａ，１５ｂの演出用ランプ９４ａ〜９４ｄ、サイド発光部１６ａ，１６ｂのサイドランプ９３ａ，９３ｂ、案内駆動機構部１００Ａ、可動役物８が接続されている。
サブ制御基板８０は、演出ボタン検出スイッチ９６、選択ボタン検出スイッチ９７から検出信号を入力すると共に演出用ランプ９４ａ，９４ｂ、サイドランプ９５ａ，９５ｂへ操作信号（制御コマンド、データ等）を出力するものである。
【００４０】
演出制御基板８１は、主として演出時にサイドランプ９３ａ，９３ｂ、演出用ランプ９４ａ〜９４ｄを点灯させる制御を行うものであり、Ｉ／Ｆ回路８２、サブＣＰＵ８３、乱数発生器８４、サブＲＯＭ８５、サブＲＡＭ８６を備えている。Ｉ／Ｆ回路８２は、メイン制御基板７０のＩ／Ｆ回路７１からのコマンドの受信を行う。サブＣＰＵ８３は、サブＲＯＭ８５に予め記憶されている演出用のプログラム等を読み込み、メイン制御基板７０からの演出開始を示すコマンド、又は、演出ボタン検出スイッチ９６や操作キー検出スイッチ９７等の入力信号に基づいて所定の演算を行い、その演算結果を画像制御ＩＣ８７ａや音源ＩＣ８７ｂに与える。
【００４１】
乱数発生器８４は、乱数抽選の為の乱数を発生させるカウンタからなり、電源が投入されている間、常時０〜６５５３５の数値を発生させ、メイン制御基板７０からのコマンドに基づいて１つの数値が乱数値として出力される。サブＲＯＭ８５は、演算用のプログラムや演算の抽選処理に用いる演出抽選テーブル等を記憶している。サブＲＡＭ８６はサブＣＰＵ８３によって実行される演出用プログラムやサブＣＰＵ８３による演算結果等を一時的に記憶する。
【００４２】
画像音響生成基板８７は、主として演出時に表示画像や音響を制御するものであり、画像制御ＩＣ８７ａ、画像ＲＯＭ８８、ビデオＲＡＭ８９、音源ＩＣ８７ｂ、音源ＲＯＭ９０、アンプ９１等を備えている。
画像制御ＩＣ８７ａは、画像ＲＯＭ８８から画像に関するプログラムやデータを読み込み、画像表示器７に画像を表示させる為の画像データ等を生成する。画像ＲＯＭ８８は、演出で用いる画像に関するプログラムやデータ（主としてキャラクタ等の画像のデータ）を記憶している。ビデオＲＡＭ８９は、演出用のプログラムやデータを一時的に記憶するものであり、主に画像データを合成して生成させる為の作業エリアとされる。
【００４３】
音源ＩＣ８７ｂは、音源ＲＯＭ９０から音声に関するプログラムやデータを読み込み、スピーカ９４ａ〜９４ｄを駆動させる音声信号を生成する。音源ＲＯＭ９０は、演出を実行する為のプログラムやデータ（主に音声に関するプログラムやデータ）を記憶している。アンプ９１は音源ＩＣ８７ｂからの音声信号を増幅してスピーカ９４ａ〜９４ｄに出力する。
【００４４】
中央表示基板６０には、ベットスイッチ２３、ＭＡＸベットスイッチ２４、清算スイッチ２２、スタートスイッチ２７、３つのストップスイッチ２８，２９，３０、設定スイッチ６１、セレクタ６２が接続されている。
ベットスイッチ２３は、メダルを１枚ずつベットする為のスイッチであり、ＭＡＸベットスイッチ２４はメダルを一度に３枚ベットする為のスイッチである。清算スイッチ２２は、メダルの投入や小役等の入賞により獲得したメダルをスロットマシン１内で貯留し、その貯留されたメダルをスロットマシン１外へ払い出す為のスイッチである。
【００４５】
スタートスイッチ２７は３つのリール１１，１２，１３を一斉に回転させる指示をする為のレバースイッチである。左中右の３つのストップスイッチ２８，２９，３０は、左中右の３つのリール１１，１２，１３を夫々停止させる為のスイッチである。設定スイッチ６１は、スロットマシン１の出球率（メダルの払出率）を設定する設定値を変更する場合に操作されるものである。
【００４６】
セレクタ６２は、メダル投入部２１より投入される投入物に対し正規のメダルか異物かを判別して振り分けると共に、遊技待機中等でのメダル受付時（受付許可状態のとき）メダルの検出に合せてメダルの受け付けを行うものである。リール基板４０には、左中右の３つのリールモータ４１，４２，４３、左中右の３つのリールセンサ４１ａ，４２ａ，４３ａ、外部集中端子板４４、ドアスイッチ４５が接続されている。
【００４７】
左中右の３つのリールモータ４１，４２，４３は、夫々、左中右の３つのリール１１，１２，１３の加速と減速と停止を行うステッピングモータである。左中右の３つのリールセンサ４１ａ，４２ａ，４３ａは、夫々、左中右の３つのリール１１，１２，１３の回転角度位置を検出するものである。外部集中端子板４４は、メダル払出やメダル投入等の遊技情報に関する信号と、ドア開放、設定変更、投入エラー、払出エラー等のセキュリティに関する信号とを受信し、ホールコンピュータに出力するものである。ドアスイッチ４５はドア開閉スイッチ信号を送信するものである。
【００４８】
電源装置基板５０には、ホッパ装置５１、電源スイッチ５２、リセットスイッチ５３、設定変更有効化スイッチ５４が接続されている。ホッパ装置５１は、ゲームの入賞に応じてメダルの払い出しを行うものである。リセットスイッチ５３は、エラー信号等の出力を停止させ、エラー状態から復旧させる為のリセットスイッチ信号を出力する。設定変更有効化スイッチ５４は、設定スイッチ６１の操作を有効化する設定変更有効化信号を送信する。
【００４９】
以上説明したスロットマシン１によるゲームにおいては遊技者がゲームのベット数を決定した状態でスタートスイッチ２７を操作すると、左中右の３つのリール１１，１２，１３が回転し、その後、遊技者が左中右の３つのリールストップスイッチ２８，２９，３０を順に操作すると、左中右の３つのリール１１，１２，１３が順に停止制御され、全てのリール１１，１２，１３の停止後、有効ライン上での図柄の組み合わせ態様からゲーム結果を判断し、入賞した場合には該当する当選役に対応する規定数のメダルが付与される。
【００５０】
○［画像表示器役物ユニット］
次に、画像表示器役物ユニット１００について、図３〜図２３に基づいて説明する。
画像表示器役物ユニット１００は、画像表示器７と、可動役物８と、案内駆動機構部１００Ａとをユニット化したものであり、この画像表示器役物ユニット１００は前面扉２の上部に取り付けられている。画像表示器７は、前面扉２の上部の大部分を占めるサイズの矩形状の液晶表示器からなり、遊技に関する情報を表示するものである。
【００５１】
この画像表示器７は、その画面７ａが鉛直面に対して上方ほど前方へ移行する前傾状に傾斜させて配置されている。この傾斜角度は、例えば１０°〜２０°、好ましくは１５，１６°である。このように画面７ａを前傾状態にするのは、遊技者から画面７ａを見易くする為であると同時に、画面７ａの前側の空間に可動役物８をコンパクトに配置可能にする為であると共に可動役物８により画面７ａの視認性が低下しないようにする為である。
【００５２】
可動役物８は左右に細長く前後厚さが例えば２〜３ｃｍ程度の直方体状に形成され、可動役物８の前面は画面７ａから数ｃｍ前方に位置している。この可動役物８の内部構造の詳細については後述する。可動役物８は、その左右両端部に連結された左右１対のアーム部材１０１で支持され、１対のアーム部材１０１は、後述する第２案内機構１０５で支持されている。可動役物８の上下幅は例えば画面の上下幅の約１／４〜１／３であるが、この上下幅に限定されるものではない。
【００５３】
可動役物８は画面７ａと平行方向へ昇降可能に案内されるが、図１、図３は可動役物８が最下位置の状態を示しており、この最下位置の可動役物８の大部分は画面７ａの前側に位置しているが、可動役物８の下端部は画面７ａの下端よりも下方へはみ出している。但し、可動役物８は画面７ａの下端から下方へはみ出さないように配置してもよい。
【００５４】
図３〜図７に示すように、画像表示器役物ユニット１００は、画像表示器７と、画像表示器７の前側の可動役物８と、画像表示器７の背面側の案内駆動機構部１００Ａとを備えている。この案内駆動機構部１００Ａは、この案内駆動機構部１００Ａを構成する諸部材や諸機器を取り付ける為のベース部材１０２と、画像表示器７を昇降可能に案内する第１案内機構１０３と、画像表示器７を昇降駆動する為の第１昇降駆動手段１０４と、可動役物８を昇降可能に案内する第２案内機構１０５と、可動役物８を昇降駆動する為の第２昇降駆動手段１０６と、左右１対のカバー部材１０７ａ，１０７ｂとを備えている。
【００５５】
次に、ベース部材１０２について説明する。
図４、図５に示すように、ベース部材１０２は合成樹脂製の部材であり、ベース部材１０２は、前面ベース部材１１０と、この前面ベース部材１１０の左右両端部の背面側に固定されて後方へ延びる左右１対の側面ベース部材１１１ａ，１１１ｂと、これら側面ベース部材１１１ａ，１１１ｂの左右方向内面（左右方向中心の側）に夫々固定された左右１対の側面内側ベース部材１１２ａ，１１２ｂとを備えている。
【００５６】
前面ベース部材１１０は鉛直面に対してやや前傾姿勢に配設され、前面ベース部材１１０には、左右１対の突出部１１０ａ，１１０ｂと、画像表示器７をその画面７ａと平行方向へ昇降可能に案内する第１案内機構１０３を支持する中央部の第１案内機構支持部１０３ａとを有する。前面ベース部材１１０の左右の突出部１１０ａ，１１０ｂの背面部には、側面ベース部材１１１ａ，１１１ｂの前端部の係合凸部１１４ａ，１１４ｂを係合させる為の係合凹部１１５であって左右方向の外側面のみが開放状の係合凹部１１５が形成されている。
【００５７】
前面ベース部材１１０の左右の突出部１１０ａ，１１０ｂの前端部には、画像表示器７が昇降する際に画像表示器７の背面に当接する遊転ローラ１１３ａ，１１３ｂが夫々装備され、遊転ローラ１１３ａ，１１３ｂは左右方向向きの水平な支軸に回転自在に支持されている。
【００５８】
前面ベース部材１１０は、複数のフランジ部や複数の凹部及び凸部を介して高剛性の一体部材に構成されている。前面ベース部材１１０は、複数のビス等により前面扉２の上部の背面側に固定されている。例えば、前面ベース部材１１０の上端部には、固定用のビスを挿通させる為の左右１対のビス挿通穴１１６ａ，１１６ｂが形成され、前面ベース部材１１０の下端部には固定用のビスを挿通させる為の３つのビス挿通穴１１６ｃ〜１１６ｅが形成されている。尚、側面ベース部材１１１ａ，１１１ｂや側面内側ベース部材１１２ａ，１１２ｂについては必要に応じて適宜後述する。
【００５９】
次に、第１案内機構１０３について図４、図７、図９〜図１３に基づいて説明する。
この第１案内機構１０３は、画像表示器７をその画面７ａと平行方向へ昇降可能に案内するものである。第１案内機構１０３は、第１案内機構支持部１０３ａと、画像表示器７の背面側に設けられた第１ガイドロッド１１７と、前面ベース部材１１０側に形成された第１リニアガイド１１８ｅ付きの案内孔１１８とを備えている。第１ガイドロッド１１７は、画像表示器７の背面側の左右方向中間部に画面と平行に縦向きに配設され、第１ガイドロッド１１７は案内孔１１８を低摩擦で摺動自在に挿通している。
【００６０】
第１案内機構支持部１０３ａは、前面ベース部材１１０の中央側部分に縦向きに形成された左右１対の膨出部１１８ａ，１１８ｂと、これら膨出部１１８ａ，１１８ｂと一体形成され且つこれら膨出部１１８ａ，１１８ｂの中段部を架橋状に連結する架橋部１１８ｃと、この架橋部１１８ｃの前面にビスにて固定された案内部材１１８ｄであって架橋部１１８ｃと協働して第１案内機構１０３の円筒状の案内孔１１８を形成する案内部材１１８ｄとを有する。この案内孔１１８の内周部には、画像表示器７の背面に装備された第１ガイドロッド１１７を低摩擦で摺動自在に案内する第１リニアガイド１１８ｅ（ベアリング機構）が組み込まれている。
【００６１】
第１ガイドロッド１１７の上端部と下端部を夫々支持する合成樹脂製の１対の支持片１１７ａ，１１７ｂが設けられ、各支持片１１７ａ，１１７ｂは１対のビスで画像表示器７の背面ケース部材７ｂに固定されている。尚、前記左右１対の遊転ローラ１１３ａ，１１３ｂは、第１案内機構１０３に含まれるものである。
【００６２】
前記第１案内機構１０３の変更例として、第１案内機構支持部１０３ａを画像表示器７の背面部に形成し、第１ガイドロッド１１７を前面ベース部材１１０に装備し、画像表示器７をその画面７ａと平行方向に昇降可能に案内するように構成してもよい。
【００６３】
次に、第１昇降駆動手段１０４について図９〜図１７に基づいて説明する。
第１昇降駆動手段１０４は、画像表示器７をその画面７ａと平行方向へ昇降駆動するものであり、この第１昇降駆動手段１０４は、左右１対の第１昇降駆動ユニット１０４Ａ，１０４Ｂに組み込まれている。左右１対の第１昇降駆動ユニット１０４Ａ，１０４Ｂは、 左右対称（図７のXIII−XIII線を含む鉛直面に対して左右対称）のものであるので、左側の第１昇降駆動ユニット１０４Ａについて説明し、右側の第１昇降駆動ユニット１０４Ｂの説明は省略する。
【００６４】
左側の第１昇降駆動ユニット１０４Ａは、揺動アーム部材１２０と、主ケース部材１２１と、副ケース部材１２２と、駆動モータ１２３と、減速ギヤ列１２４と、ウォームギヤ機構１２５と、アシスト機構１２６と、上限スイッチ１２７及び下限スイッチ１２８等を備えている。
【００６５】
第１昇降駆動ユニット１０４Ａは、 主ケース部材１２１と副ケース部材１２２の内部や側部や底部に、駆動モータ１２３と、減速ギヤ列１２４と、ウォームギヤ機構１２５と、アシスト機構１２６と、上限スイッチ１２７及び下限スイッチ１２８等を組み付けたユニットとして構成され、この第１昇降駆動ユニット１０４Ａは、その主ケース部材１２１と副ケース部材１２２を前面ベース部材１１０の背面に複数のビス１２９で固定することにより前面ベース部材１１０に固定されている。
【００６６】
このように、第１昇降駆動ユニット１０４Ａは、前面ベース部材１１０の背面に複数のビスで固定されるユニットに構成してあるため、全体としてコンパクト化し、組み付け作業が簡単化し、遊技機１を廃棄する際には第１昇降駆動ユニット１０４Ａを回収して再利用可能である。
【００６７】
画像表示器７の背面ケース部材７ｂの左部の上部には、揺動アーム部材１２０の先端部分にピン部材１３１を介して連結されるピン支持部材１３０が固定されている。ピン支持部材１３０は、基部１３０ａとこの基部１３０ａから後方へ延びる左右１対の腕部１３０ｂであってピン部材１３１の両端部を支持する１対の腕部１３０ｂとを備えている。
【００６８】
前記揺動アーム部材１２０は、アーム部１２０ａと、このアーム部１２０ａの後端部に一体形成された後端連結部１２０ｂと、この後端連結部１２０ｂに固定されたギヤ形成部１２０ｃとを備えている。尚、アーム部１２０ａの後端が後端連結部１２０ｂの左端部に連なるように一体形成されている。アーム部１２０ａは所定の上下幅と所定の左右幅を有し、このアーム部１２０ａの前端部分には前後方向（アーム部１２０ａの長さ方向）に細長い長穴１３２が形成され、この長穴１３２に前記ピン部材１３１を挿通させ、このピン部材１３１を介してアーム部１２０ａから１対の腕部１３０ｂへ昇降駆動力を伝達可能に連動連結してある。
【００６９】
前記後端連結部１２０ｂには、円弧形左側板部１３４と、環状の右側板部１３５とが一体形成されている。これら側板部１３４，１３５の間にギヤ形成部１２０ｃの前部が係合され、ギヤ形成部１２０ｃが複数のビス１３６で側板部１３４，１３５に固定されている。ギヤ形成部１２０ｃと右側板部１３５の中心部には左右方向向きで水平な軸孔１３７が形成されている。このギヤ形成部１２０ｃは軸孔１３７と同心の部分円筒状の外周部を有し、この外周部の後半部にはウォームギヤ機構１２５のウォームホイールとして機能するギヤ部１３８が形成されている。
【００７０】
ギヤ形成部１２０ｃを回転自在に支持する軸部材１３９が軸孔１３７に挿通され、この軸部材１３９の左端部は主ケース部材１２１に形成した軸穴に支持されている。軸部材１３９の右端側部分は、副ケース部材１２２に一体形成された円筒部１４０に挿入されて支持されている。
【００７１】
前記駆動モータ１２３はその軸心を鉛直方向向きに配設したステッピングモータからなり、この駆動モータ１２３は主ケース部材１２１の底部壁１２１ａの外側から底部壁１２１ａに固定されている。減速ギヤ列１２４は、底部壁１２１ａの上側において駆動モータ１２３の出力軸に固定されたピニオン１２３ａと、このピニオン１２３ａよりも大径でピニオン１２３ａに噛合した第１ギヤ１４２と、この第１ギヤ１４２の上面側同軸一体の第２ギヤ１４３であって第１ギヤ１４２よりも小径の第２ギヤ１４３と、この第２ギヤ１４３よりも大径で第２ギヤ１４３に噛合した第３ギヤ１４４とを備え、駆動モータ１２３の回転駆動力は減速して第３ギヤ１４４に伝達される。
【００７２】
第１，第２ギヤ１４２，１４３のギヤ軸は副ケース部材１２２とギヤカバー１２１ｂとで支持され、第３ギヤ１４４の下側ギヤ軸は主ケース部材１２１の底部壁１２１ａで支持されている。尚、駆動モータ１２３はサブ制御基板８０に電気的に接続され、サブ制御基板８０で制御される。
【００７３】
ウォームギヤ機構１２５は、第３ギヤ１４４と同心に鉛直向きに配置されたウォームギヤ１４５と、このウォームギヤ１４５に噛合した揺動アーム部材１２０のギヤ形成部１２０ｃに形成されたギヤ部１３８とを備えている。ウォームギヤ１４５の下端軸部の下端部がカプラー１４５ａにより第３ギヤ１４４のギヤ軸に連結され、この下端軸部は軸受１４５ｂを介して主ケース部材１２１に支持されている。ウォームギヤ１４５の上端軸部は軸受１４５ｃを介して主ケース部材１２１に支持されている。
【００７４】
こうして、駆動モータ１２３の駆動力で減速ギヤ列１２４とウォームギヤ機構１２５を介してギヤ部１３８を回転させて、揺動アーム部材１２０のアーム部１２０ａをギヤ形成部１２０ｃを回転中心として上下に揺動させることで、画像表示器７をその画面７ａと平行方向へ昇降駆動可能に構成してある。尚、ウォームギヤ１４５の上端軸部の上端には、スクリュードライバを係合可能な操作部１４５ｄが形成され、主ケース部材１２１の上面壁の開口から外界に臨んでいる。それ故、スクリュードライバによりウォームギヤ１４５の回転位相を調整可能になっている。
【００７５】
次に、アシスト機構１２６について説明する。
このアシスト機構１２６は、駆動モータ１２３の負荷を軽減する為に揺動アーム部材１２０を上方へ揺動する側へ付勢するものである。このアシスト機構１２６は、円筒部１４０に複数巻き巻いた捩じりバネ１４６と、バネ保持部材１４７等を備えている。捩じりバネ１４６は、主ケース部材１２１のバネ受部１４８に係止される一端側の静止側レバー部１４６ａと、後端連結部１２０ｂに形成された係止部１４９に下側から係合した他端側の可動側レバー部１４６ｂとを備えている。この捩じりバネ１４６は、可動側レバー部１４６ｂにより係止部１４９を上方へ、つまり揺動アーム部材１２０を上方揺動側へ付勢するアシスト力を発生するように構成されている。
【００７６】
前記係止部１４９は副ケース部材１２２に形成した円弧穴１５０を貫通して円弧穴１５０の右側へ突出している。バネ保持部材１４７は、捩じりバネ１４６が円筒部１４０から脱落しないように、円筒部１４０の右端に当接され、その１対の固定部１４７ａを副ケース部材１２２に突設した１対のボス部１４０ａにビスで固定されている。
【００７７】
次に、上限スイッチ１２７と下限スイッチ１２８について説明する。
揺動アーム部材１２０の後端連結部１２０ｂの上端部には、揺動アーム部材１２０が上限位置まで揺動した際に上限スイッチ１２７（例えばフォトインタラプタ）を作動させる上限作動片１２７ａが一体形成され、後端連結部１２０ｂの下端近傍部には揺動アーム部材１２０が下限位置まで揺動した際に下限スイッチ１２８（例えばフォトインタラプタ）を作動させる下限作動片１２８ａが一体形成されている。上限スイッチ１２７と下限スイッチ１２８は、サブ制御基板８０に検出信号を出力する。
【００７８】
次に、第２案内機構１０５及び第２昇降駆動手段１０６について、図１４、図１８〜図２３に基づいて説明する。第２案内機構１０５は可動役物８を画像表示器７の画面７ａと平行方向へ昇降可能に案内するものであり、第２昇降駆動手段１０６は、可動役物８を画面７ａと平行方向へ昇降駆動するものである。
【００７９】
第２案内機構１０５の大部分と第２昇降駆動手段１０６は、左右１対の第２案内駆動ユニット１０５Ａ，１０５Ｂに組み込んで構成されている。左右１対の第２案内駆動ユニット１０５Ａ，１０５Ｂは、左右対称（図７のXIII−XIII線を含む鉛直面に対して左右対称）のものであるので、左側の第２案内駆動ユニット１０５Ａについて説明し、右側の第２案内駆動ユニット１０５Ｂの説明は省略する。
【００８０】
第２案内駆動ユニット１０５Ａは、側面ベース部材１１１ａと、側面内側ベース部材１１２ａと、案内機構１５０と、昇降駆動手段１５１と、上限スイッチ１５２及び下限スイッチ１５３等を備えている。側面ベース部材１１１ａと側面内側ベース部材１１２ａとで所定の左右幅を有し且つ側面視にてほぼ台形状の箱状体となっている。昇降駆動手段１５１は、その駆動モータ１６４を除き、側面ベース部材１１１ａと側面内側ベース部材１１２ａの内部に装備され、案内機構１５０は側面ベース部材１１１ａの左外側に装備されている。
【００８１】
側面ベース部材１１１ａの前端部には、前面ベース部材１１０の背面の係合凹部１１５に緊密に係合する係合凸部１１４ａが形成され、この側面ベース部材１１１ａの少なくとも上端部と下端部とが前面ベース部材１１０の背面にビスにて固定されている。側面内側ベース部材１１２ａは側面ベース部材１１１ａに複数のビスにて固定されている。側面ベース部材１１１ａは、駆動モータ１６４、上限スイッチ１５２、下限スイッチ１５３等の左側外面を覆う透明な外面カバー部材（図示略）であって複数のビスで固定される外面カバーを備えている。
【００８２】
案内機構１５０は、側面ベース部材１１１ａの外側に、鉛直面内において画像表示器７の画面７ａと平行に配設された第２ガイドロッド１５４と、この第２ガイドロッド１５４に沿って昇降可能に案内されるアーム部材１０１とを備えている。アーム部材１０１は、後端部の被案内部１５５と、この被案内部１５５から前方へ延びるアーム本体部１５６と、このアーム本体部１５６の前端から延びるＬ形連結部１５７とを備えている。
【００８３】
第２ガイドロッド１５４の上端部は、側面ベース部材１１１ａの左側面の上端部に１対のビス１５８ａで固定された支持片１５８で支持され、第２ガイドロッド１５４の下端部は、側面ベース部材１１１ａの左側面の下端部に１対のビス１５９ａで固定された支持片１５９で支持されている。
【００８４】
アーム本体部１５６は被案内部１５５から前方下り緩傾斜状に延び、被案内部１５５とアーム本体部１５６は画像表示器７の左端部の後方に配設され、Ｌ形連結部１５７はアーム本体部１５６の前端から画像表示器７の左端部より左方へ延びてから前方へ延び、Ｌ形連結部１５７の前端が可動役物８の左端部の背面に固定されている。アーム部材１０１の外面側には内部のリード線収容溝の外面を塞ぐ帯状部材１０１ａが設けられている。
【００８５】
アーム部材１０１の被案内部１５５の右側面側には、分割部材１５５ｃが固定され、被案内部１５５には分割部材１５５ｃを介して第２リニアガイド（ベアリング機構）（図示略）付きの被案内孔１５５ａが形成され、第２ガイドロッド１５４はその被案内孔１５５ａを摺動自在に挿通している。そのため、アーム部材１０１の被案内部１５５は第２ガイドロッド１５４に沿って低摩擦で昇降可能に案内され、アーム部材１０１が鉛直面内で第２ガイドロッド１５４に沿って画面７ａと平行方向に移動可能になっている。
【００８６】
アーム部材１０１の被案内部１５５の上端と下端には１対の緩衝材１５５ｂが夫々付設され、アーム部材１０１が上限位置に達した際に、上端の緩衝材１５５ｂが上側の支持片１５８に当接して衝撃を緩和し、アーム部材１０１が下限位置に達した際に、下端の緩衝材１５５ｂが下側の支持片１５５ｂに当接して衝撃を緩和する。側面ベース部材１１１ａの前部には、第２ガイドロッド１５４と平行なスリット状のガイド穴１６０が形成され、側面内側ベース部材１１２ａにはガイド穴１６０の右側に平行に位置するガイド溝１６１が形状されている。
【００８７】
次に、昇降駆動手段１５１について説明する。
昇降駆動手段１５１は可動役物８を支持するアーム部材１０１を第２ガイドロッド１５４に沿って昇降駆動するものであり、昇降駆動手段１５１は、枢支軸１６２と、この枢支軸１６２に支持されて枢支軸１６２を中心として揺動可能な揺動部材１６３と、駆動モータ１６４（ステッピングモータ）と、ギヤ機構１６５、アシスト機構１６６等を備えている。
【００８８】
ここで、図１８は側面ベース部材１１１ａを取り外した状態の第２案内駆動ユニット１０５Ａの左側面図、図１９は第２案内駆動ユニット１０５Ａの分解斜視図、図２０は側面ベース部材１１１ａを取り外した状態の第２案内駆動ユニット１０５Ａの左下方から視た斜視図、図２１はアーム部材１０１を取り外した状態の第２案内駆動ユニット１０５Ａを左前方から視た斜視図、図２２は側面内側ベース部材１１２ａと昇降駆動手段１５１を右下方から視た斜視図、図２３は同第２案内駆動ユニット１０５Ａを右後方から視た斜視図である。
【００８９】
揺動部材１６３は、側面ベース部材１１１ａと側面内側ベース部材１１２ａの内部に枢支軸１６２を中心として揺動可能に配設されている。枢支軸１６２は、側面ベース部材１１１ａと側面内側ベース部材１１２ａの後部の上部に配設され、枢支軸１６２の左端部は側面ベース部材１１１ａで支持され、枢支軸１６２の右端部分は側面内側ベース部材１１２ａに突設された円筒部１７９に挿入されて支持されている。
【００９０】
揺動部材１６３は、扇形に近い形状のセクター部１６７と、セクター部１６７の先端から前方へ延びるアーム部１６９とを有する。セクター部１６７の先端部には左方へ突出状の三日月形状部１６８が形成され、この三日月形状部１６８の径方向小径側には円弧状の内歯ギヤ１６８ａが形成されている。
【００９１】
アーム部１６９は、三日月形状部１６８の下端側部分から径方向外側へ第２ガイドロッド１５４の方へ延びており、このアーム部１６９にはその長さ方向に細長い長穴１６９ａが形成されている。アーム部材１０１の被案内部１５５の分割部材１５５ｃには、金属製のピン部材１７０の左端部を支持するボス部１７０ａと、ボス部１７０ａの上下両側に形成された１対の小径ボス部１７０ｂ（ボス部１７０ａよりも小径で且つボス部１７０ａよりも長い）とが形成され、ボス部１７０ａはガイド孔１６０に摺動自在に嵌入され、１対の小径ボス部１７０ｂはガイド孔１６０に遊動自在に嵌入されている。
【００９２】
ガイド孔１６０よりも右側に位置する長円部材１７１の中段部には、ピン部材１７０を挿通させるピン穴１７１ａと、このピン穴１７１ａの両側に位置する１対のビス穴１７１ｂが形成されている。長円部材１７１は、その右方から１対のビス穴１７１ｂに挿通させた１対のビス（図示略）を１対の小径ボス部１７０ｂに螺合することで分割部材１５５ｃに固定されている。
【００９３】
ピン部材１７０はピン穴１７１ａに摺動自在に挿通させて、その左端部がボス部１７０ａの軸穴に挿入され、ピン部材１７０はアーム部１６９の長穴１６９ａを貫通し、長穴１６９ａの両側においてピン部材１７０には１対の鍔付きローラ１７２が回転自在に外嵌され、１対の鍔付きローラ１７２の１対の当接状のローラ部１７２ａが長穴１６９ａに摺動自在に嵌入され、１対の鍔付きローラ１７２の鍔部１７２ｂは長穴１６９ａの両側でアーム部１６９の側面に当接し、ピン部材１７０の右端部に回転自在に外嵌された合成樹脂製のローラ部材１７０ｃがガイド溝１６１に摺動自在に嵌入されている。
【００９４】
駆動モータ１６４は側面ベース部材１１１ａの左側面に軸心を左右方向向きに付設されている。ギヤ機構１６５は、駆動モータ１６４の出力軸に固定されたピニオン１６４ａと、このピニオン１６４ａと内歯ギヤ部１６８ａに噛合して駆動モータ１６４の回転駆動力を内歯ギヤ部１６８ａに伝達するギヤ１７３とを備えている。ギヤ１７３のギヤ軸は側面ベース部材１１１ａに片持ち状に支持されている。こうして、駆動モータ１６４によりピニオン１６４ａとギヤ１７３を介して内歯ギヤ部１６８ａに回転駆動力を伝達し、揺動部材１６３とそのアーム部１６９を揺動させることでピン部材１７０をガイド穴１６０とガイド溝１６１内で昇降させ、ピン部材１７０を介してアーム部材１０１を昇降駆動することができる。尚、上記の駆動モータ１６４はサブ制御基板８０に電気的に接続され、サブ制御基板８０で制御される。
【００９５】
次に、アシスト機構１６６について説明する。
このアシスト機構１６６は、駆動モータ１６４の負荷を軽減する為に揺動部材１６３を上方揺動側へ付勢するものである。アシスト機構１６６は、枢支軸１６２の右端部分を挿入可能に側面内側ベース部材１１２ａの左側面に突出させた円筒部１７９に複数巻き巻いた捩じりバネ１７４と、バネ保持部材１７５を備えている。
【００９６】
この捩じりバネ１７４は、側面内側ベース部材１１２ａのバネ受部１７６に係止された静止側レバー部１７４ａと、揺動部材１６３のセクター部１６７の右側面の下部に突設された係止部１７７に下側から係合した可動側レバー部１７４ｂとを備えている。側面内側ベース部材１１２ａには、揺動部材１６３が揺動する際の上記係止部１７７の移動を許す為の円弧形開口１７８が形成され、上記係止部１７７は円弧形開口１７８を貫通して側面内側ベース部材１１２ａの右側へ突出している。それ故、上記のアシスト機構１６６により、揺動部材１６３を上方揺動側へ付勢することにより、駆動モータ１６４の小型化を図っている。
【００９７】
次に、上限スイッチ１５２と下限スイッチ１５３について説明する。
上限スイッチ１５２はアーム部材１０１が上限位置に達したことを検出するものであり、下限スイッチ１５３はアーム部材１０１が下限位置に達したことを検出するものである。アーム部材１０１の被案内部１５５には、上記のスイッチ作動用の作動片１５５ｅが設けられ、側面内側ベース部材１１２ａの左側面には、アーム部材１０１が上限位置に達した時に作動片１５５ｅで作動させられる上限スイッチ１５２と、アーム部材１０１が下限位置に達した時に作動片１５５ｅで作動させられる下限スイッチ１５３とが設けられている。
【００９８】
これらスイッチ１５２，１５３は例えばフォトインタラプタからなるが、その他近接スイッチ又はその他のスイッチで構成してもよい。上限スイッチ１５２と下限スイッチ１５３はサブ制御基板８０に検出信号を出力する。
尚、側面ベース部材１１２ａの右側面には、互いに離隔した位置において、第１昇降駆動ユニット１０４Ａの主ケース部材１２１の左側面に当接してそれを受け止めるボス状の１対の受止部１８０が水平方向向きに突設されている。この１対の受止部１８０により、第１昇降駆動ユニット１０４Ａ，１０４Ｂと第２案内駆動ユニット１０５Ａ，１０５Ｂの一体性を高め、それらの振動を抑制することができる。
【００９９】
次に、前記画像表示器役物ユニット１００を想到するに至った経緯について説明する。
特開２０１４−８１２２号公報の遊技機においては、画像表示器の画面の鉛直面に対する傾斜方向と傾斜角を任意に変更可能に構成する関係上、画像表示器の前面側の近傍部位に役物類を配置することが難しい。しかも、画像表示器の上下方向位置が一定であるため、画像表示器の上下移動（昇降移動）を利用して演出効果を得ることはできない。また、画像表示器を昇降させる場合に低摩擦で迅速に昇降可能にすることは難しい。
【０１００】
次に、上記の画像表示器役物ユニット１００の作用、効果について説明する。
画像表示器７の画面７ａを上方ほど前方に移行する前傾状に傾斜させたため画面が見易くなる。しかも、画面の見易さを殆ど低下させることなく、画像表示器７の前側に可動役物８を配置可能になる。また、画像表示器７の上下移動（昇降移動）可能にしたのでその上下移動を利用して顕著な演出効果を得ることができる。そして、画像表示器７をその画面７ａと平行に上下移動させるため、画面７ａの見易さが損なわれることもない。
【０１０１】
しかも、画像表示器７の画面７ａの前側に配置した可動役物８を画像表示器７の画面７ａと平行方向へ上下移動（昇降移動）可能にしたため、可動役物８が上下移動する際に画像表示器７と可動役物８との干渉が生じることがなく、また、可動役物８の上下移動を利用して演出効果を得ることができる。
【０１０２】
画像表示器７を昇降可能に案内する第１案内機構１０３は、第１リニアガイド１１８ｅを備えているため、画像表示器７を低摩擦で昇降可能になり、駆動モータ１２３の小型化を図ることもできる。第１案内機構１０３に、画像表示器７の背面ケース７ｂに当接する左右１対の遊転ローラ１１３ａ，１１３ｂを設けたため、１つの第１案内機構支持部１０３ａと１本のガイドロッド１１７の数を１組だけ設ければよくなり、第１案内機構１０３の構造が簡単になった。
【０１０３】
画像表示器７を昇降駆動する第１昇降駆動手段１０４を左右１対の第１昇降駆動ユニット１０４Ａ，１０４Ｂで構成し、第１昇降駆動ユニット１０４Ａ，１０４Ｂの各々を主ケース部材１２１と副ケース部材１２２とに組み付けたユニットに構成したため、第１昇降駆動ユニット１０４Ａ，１０４Ｂの画像表示器役物ユニット１００への組み付け性を高め、製作費の低減を図ることができる。尚、別機種の遊技機の可動役物の駆動等に適用することも可能で汎用性に優れた役物駆動ユニットとして利用可能である。
【０１０４】
また、第１昇降駆動ユニット１０４Ａ，１０４Ｂにセルフロック機能のあるウォームギヤ機構１２５を組み込んでいるため、画像表示器７の停止位置が安定する。第１昇降駆動ユニット１０４Ａ，１０４Ｂにアシスト機構１２６を設けたため、駆動モータ１２３を著しく小型化することができる。
【０１０５】
可動役物８を昇降可能に案内する第２案内機構１０５は、可動役物８を支持する左右１対のアーム部材１０１に装備された左右１対の第２リニアガイドを左右１対の第２ガイドロッド１５４で案内するように構成してあるため、可動役物８を低摩擦で迅速に昇降可能になり、駆動モータ１６４の小型化を図ることができる。
【０１０６】
第２案内機構１０５の大部分（左右１対のアーム部材１０１を除いた大部分）と第２昇降駆動手段１０６を、左右１対の第２案内駆動ユニット１０５Ａ，１０５Ｂで構成し、第２案内駆動ユニット１０５Ａ，１０５Ｂの各々を側面ベース部材１１１ａ，１１１ｂと、側面内側ベース部材１１２ａ，１１２ｂとに組み付けたユニットに構成したため、第２案内駆動ユニット１０５Ａ，１０５Ｂの画像表示器役物ユニット１００への組み付け性を高め、製作費の低減を図ることができる。尚、別機種の遊技機の可動役物の案内駆動等に適用することも可能で汎用性に優れた役物案内駆動ユニットとして利用可能である。
【０１０７】
第２案内駆動ユニット１０５Ａ，１０５Ｂにもアシスト機構１６６を設けるため、駆動モータ１６４を著しく小型化することができる。第２案内駆動ユニット１０５Ａ，１０５Ｂのギヤ機構１６５は、揺動部材１６３の三日月形状部１６８に形成した内歯ギヤ部１６８ａと、この内歯ギヤ部１６８ａに噛合したギヤ１７３を有するため、ギヤ機構１６５をコンパクトに形成することができる。
【０１０８】
次に、前記実施例を部分的に変更する例について説明する。
１）第１案内機構１０３に左右に離隔して配置した２組の第１案内機構支持部１０３ａと第１ガイドロッド１１７とを設け、遊転ローラ１１３ａ，１１３ｂを省略してもよい。
２）第１昇降駆動ユニット１０４Ａ，１０４ｂは、揺動アーム部材１２０で駆動する代わりに、ラック・ピニオン機構により画像表示器７を昇降駆動するように構成することも可能である。
３）その他当業者ならば、本発明の趣旨を逸脱することなく、前記実施例を部分的な変更を付加した形態で実施可能である。
【０１０９】
●［演出役物装置］
演出役物装置３００について説明する。
演出役物装置３００は、前記（図４、図１８〜図２０等参照）のように、可動バー役物８（可動役物８）と、可動バー役物８を鉛直方向に対して上方ほど前方へ移行するように少し（１０〜２０度程度）傾く傾斜方向へ移動自在に案内する案内機構１０５（第２案内機構１０５）と、可動バー役物８を支持して下待機位置（第１位置）と上作動位置（第２位置）とに亙って前記案内機構１０５による案内方向（前記傾斜方向）へ昇降移動させる第１駆動手段１０６（第２昇降駆動手段１０６）とを備えている。
【０１１０】
尚、以下の演出役物装置３００の説明では、前記傾斜方向を上下方向とし、水平方向に対して前方ほど下方へ移行するように少し（１０〜２０度程度）傾く（前記傾斜方向と直交する）傾斜方向を前後方向とする。
【０１１１】
図２４〜図４３に示すように、可動バー役物８は、可動役物部材３０１（可動ベース部材３０１）を有し、この可動役物部材３０１に、複数の可動部材３０２，３０３，３０４，３０５（４個の第１可動部材３０２、４個の第２可動部材３０３、１個の第３可動部材３０４、１個の第４可動部材３０５）が可動に設けられている。
【０１１２】
更に、可動役物部材３０１には、複数の第１，第２可動部材３０２，３０３の基端側を接近させた所定位置である初期位置（図２４、図２５）から展開位置（図２６、図２７）まで、複数の第１，第２可動部材３０２，３０３の基端側に形成される空間３０６が拡大していくように、複数の第１，第２可動部材３０２，３０３を相互に異なる放射方向へ移動させるとともに、第３，第４可動役物３０４，３０５を夫々初期位置（図２４、図２５）から展開位置（図２６、図２７）まで移動させる第２駆動手段３０７（役物駆動手段３０７）が設けられている。
【０１１３】
この第２駆動手段３０７は、前記とは逆に、複数の第１，第２可動部材３０２，３０３を展開位置（図２６、図２７）から初期位置（図２４、図２５）まで相互に異なる方向へ移動させると共に、第３，第４可動役物３０４，３０５を夫々展開位置（図２６、図２７）から初期位置（図２４、図２５）まで移動させ、つまり、複数の可動部材３０２，３０３，３０４，３０５を初期位置と展開位置とに亙って移動させることができる。
【０１１４】
このように、可動役物部材３０１に装備された複数の可動部材３０２，３０３，３０４，３０５、及び第２駆動手段３０７が、第１駆動手段１０６によって可動役物部材３０１と一体的に下待機位置と上作動位置とに亙って上下方向へ移動駆動される。
【０１１５】
次に、可動役物部材３０１、複数の可動部材３０２，３０３，３０４，３０５、第２駆動手段３０７について詳しく説明する。
【０１１６】
「可動役物部材」
図２４〜図３４、図３６、図３８、図４０〜図４２に示すように、可動役物部材３０１は、正面視にて左右方向に長い矩形状に形成された可動ベース本体３１０と、可動ベース本体３１０の前面側に配置されて左右に並設された第１，第２スライドベース３２０，３２５（第２部材３２０，３２５）であって、夫々が正面視にて可動ベース本体３１０と同じ上下長と約１／２弱の左右長を有する矩形状に形成され、可動ベース本体３１０に左右方向へ移動自在にガイド支持されて、相対的に移動可能に設けられた第１，第２スライドベース３２０，３２５とを有する。
【０１１７】
可動ベース本体３１０は、正面視形状が同じ第１〜第３ベース３１１〜３１３を有し、第１ベース３１１（第２部材３１１）の後側に透明な第２ベース３１２が取付けられ、第２ベース３１２の後側に第３ベース３１３が取付けられ、第１ベース３１１に１対のスライドベース３２０，３２５がガイド支持され、第１，第２ベース３１１，３１２に第２駆動手段３０７が装備され、第３ベース３１３の左右両端部に、そこから後方へ延びる左右１対のアーム部材１０１が固定され、これらアーム部材１０１の後部が、案内機構１０５と第１駆動手段１０６により案内支持されて移動駆動される。
【０１１８】
第１ベース３１１には、その中央部分にやや上下に長い６角形状の中央開口３１１ａが形成されている。第２ベース３１２は、その外周部に後方へ突出する鍔状部３１２ａを有し、その鍔状部３１２ａの後端が第３ベース３１３の前面に当接し、第２，第３ベース３１２，３１３の間に、第２駆動手段３０７の後述の第１，第２スライド板３３１，３３２が夫々可動に収容されるとともに、第１，第２スライド板３３１，３３２の後側において、第３，第４可動役物３０４，３０５が夫々可動に収容されている。
【０１１９】
第１，第２スライドベース３２０，３２５は、夫々、その外周部に後方へ突出する鍔状部３２０ａ，３２５ａを有し、その鍔状部３２０ａ，３２５ａの後端が第１ベース３１１の前面に摺接し、その内部に、ＬＥＤ基板３２１，３２６が収容状に固定されるとともに、ＬＥＤ基板３２１，３２６の後側において、被ガイド支持板３２２，３２７が収容状に固定され、第１，第２スライドベース３２０，３２５と第１ベース３１１の間に、第２駆動手段３０７の後述の複数の揺動アーム３４１，３４２（４個の第１揺動アーム３４１、４個の第２揺動アーム３４２）が夫々可動に収容されている。
【０１２０】
左側の第１スライドベース３２０は、被ガイド支持板３２２に後方突出状に形成された３個のピン３２３ａ，３２３ｂ，３２３ｃが、第１ベース３１１に形成された左右方向に長い３つのガイドスリット３２４ａ，３２４ｂ，３２４ｃに夫々摺動自在に係合して、第１ベース３１１にガイド支持され、右側の第２スライドベース３２５は、被ガイド支持板３２７に後方突出状に形成された３個のピン３２８ａ，３２８ｂ，３２８ｃが、第１ベース３１１に形成された左右方向に長い３つのガイドスリット３２９ａ，３２９ｂ，３２９ｃに夫々摺動自在に係合して、第１ベース３１１にガイド支持されている。
【０１２１】
「複数の可動部材」
図２４〜図２９、図３１〜図３５に示すように、図４個の第１可動部材３０２及び４個の第２可動部材３０３は、互いにサイズや形状を異ならせているが、左側２個の第１可動部材３０２（３０２-1，３０２-2）及び左側２個第２可動部材３０３（３０３-1，３０３-2）は、第１スライドベース３２０の前面側に配置され、右側２個の第１可動部材３０２（３０２-3，３０２-4）及び右側２個の第２可動部材３０３（３０３-3，３０３-4）は、第２スライドベース３２５の前面側に配置されている。尚、各可動部材３０２，３０３の長さ方向両端のうち、可動ベース本体３１０の中心側に近い方を基端とし、その反対を先端とする。
【０１２２】
４個の第１可動部材３０２及び４個の第２可動部材３０３は、１個の第１可動部材３０２と、その１個の第１可動部材３０２に対応する１個の第２可動部材３０３とで１つのペアを構成して、４つのペア（３０２-1と３０３-1、３０２-2と３０３-2、３０２-3と３０３-3、３０２-4と３０３-4）を構成している。４個の第１可動部材３０２には、それらの基端部分に後方へ突出する筒状軸部３０２ａが夫々設けられ、４個の第２可動部材３０３には、それらの基端部分に後方へ突出する軸部３０３ａが夫々設けられている。
【０１２３】
左側２個の第１可動部材３０２は、それらの筒状軸部３０２ａが第１スライドベース３２０の右端側部分に前後貫通状に形成された上下２つの軸孔３２０ｂに夫々摺動自在に内嵌されて、第１スライドベース３２０に夫々回動自在（可動）に連結され、右側２個の第１可動部材３０２は、それらの筒状軸部３０２ａが第２スライドベース３２５の左端側部分に前後貫通状に形成された上下２つの軸孔３２５ｂに夫々摺動自在に内嵌されて、右側のスライドベース３２５に夫々回動自在（可動）に連結されている。
【０１２４】
左側２個の第２可動部材３０３は、それらの軸状部３０３ａが左側２個の第１可動部材３０２の筒状軸部３０２ａに夫々摺動自在に内嵌されて、それら筒状軸部３０２ａを介して、第１スライドベース３２０に夫々回動自在に支持され、右側２個の第２可動部材３０３は、それらの軸状部３０３ａが右側２個の第１可動部材３０２の筒状軸部３０２ａに夫々摺動自在に内嵌されて、それら筒状軸部３０２ａを介して、第２スライドベース３２５に夫々回動自在に支持されている。
【０１２５】
このように、左側２つのペア（合計４個）の第１，第２可動部材３０２，３０３は、第１スライドベース３２０と一体的に左右方向へ移動可能に、また、右側２つのペア（合計４個）の第１，第２可動部材３０２，３０３は、第２スライドベース３２５と一体的に左右方向へ移動可能に、そして、各ペアの第１，第２可動部材３０２，３０３は、他の第１，第２可動部材３０２，３０３と異なる軸心であって、同じ前後方向の軸心回りに独立に（つまり相対的に）回動可能に設けられている。
【０１２６】
図２４〜図３１、図３３、図３４、図３８、図４０〜図４３に示すように、第３可動部材３０４は、可動ベース本体３１０の第２，第３ベース３１２，３１３の右部間に、第１，第２スライド板３３１，３３２の後側において可動に、且つ可動ベース本体３１０から突出可能に収容され、その基端部分が前後方向の軸３０４ａを介して第２ベース３１２に回動自在に支持されている。尚、第３可動部材３０４の長さ方向両端のうち、可動ベース本体３１０の中心側に近い方を基端とし、その反対を先端とする。
【０１２７】
図２５〜図２７、図２９、図３１〜図３４、図３６、図３８、図４０〜図４３に示すように、第４可動部材３０５は、第１ベース３１１の中央開口３１１ａと相似形で、且つ中央開口３１１ａよりも大きな６角形状に形成されて、可動ベース本体３１０の第２，第３ベース３１２，３１３の中央部間に、第１スライド板３３１の後側において可動に、且つ可動ベース本体３１０から突出可能に収容され、その中心部分が前後方向の軸３０５ａを介して第２ベース３１２に回動自在に支持されている。
【０１２８】
図２４、図２５に示すように、４個の第１可動部材３０２及び４個の第２可動部材３０３が初期位置にあるとき、それらの略全部が水平姿勢になって可動役物部材３０１の前面側に位置し、部分的に前後に重なりあい、それらの基端部が密接状になって、それらの基端側に空間３０６は形成されない。また、第３可動部材３０４が初期位置にあるとき、その大部分が可動ベース本体３１０内に位置するとともに、上側部分が可動ベース本体３１０から上方へ突出し、そのために、第２ベース３１２にその鍔状部３１２ａの上右部を切欠いて突出穴３１２ｂが形成され、第５可動部材３０５が初期位置にあるとき、左右方向に長い横向き姿勢になって、その全体が可動ベース本体３１０内に位置する。
【０１２９】
図２６、図２７に示すように、４個の第１可動部材３０２及び４個の第２可動部材３０３が展開位置にあるとき、放射状に広がって、その大部分が可動役物部材３０１の前面側よりも外側に位置し、それらの基端側に空間３０６が形成され、その空間３０６から第１ベース３１１の中央開口３１１ａの大部分を前方へ露出させる。また、第３可動部材３０４が展開位置にあるとき、その大部分が可動ベース本体３１０から下方へ突出し、そのために、第２ベース３１２にその鍔状部３１２ａの下右部を切欠いて突出穴３１２ｃが形成され、第５可動部材３０５が展開位置にあるとき、上下方向に長い縦向き姿勢になって、その上側部分と下側部分が可動ベース本体３１０から上方と下方へ突出し、そのために、第２ベース３１２にその鍔状部３１２ａの上中央部と下中央部を切欠いて突出穴３１２ｄ，３１２ｅが形成されている。
【０１３０】
４個の第１可動部材３０２、４個の第２可動部材３０３、第３可動部材３０４、及び第４可動部材３０５が、第２駆動手段３０７により初期位置から展開位置へ移動する過程で、図２８、図２９に示すように、先ず、左下の第１，第２可動部材３０４，３０５と第３可動部材３０４だけが移動して展開途中位置になり、第１，第２可動部材３０４，３０５が展開途中位置にあるときに、それらが左方ほど下方へ移行するように少し（１０度程度）傾く傾斜姿勢になって、部分的に可動役物部材３０１の前面側よりも外側に位置し、第３可動部材３０４が展開途中位置にあるときに、その約半分が可動ベース本体３１０から下方へ突出する。
【０１３１】
このとき、４個の第１可動部材３０２、４個の第２可動部材３０３、及び第３可動部材３０４は、「拳銃」を側方から見た形状になり、４個の第１可動部材３０２及び４個の第２可動部材３０３により「拳銃」の本体が、第３可動部材３０４により「拳銃」のグリップが形成される。一方、４個の第１可動部材３０２、４個の第２可動部材３０３、第３可動部材３０４、及び第４可動部材３０５が、展開位置になると、一転、「拳銃」を前方から見た形状になり、第１ベース３１１の中央開口３１１ａ及び第４可動部材３０４により「拳銃」の銃口が形成され、４個の第１可動部材３０２、４個の第２可動部材３０３、及び第３可動部材３０４により「拳銃」を撃った際の火花が形成される。
【０１３２】
「第２駆動手段」
図３６、図３８〜図４３に示すように、第２駆動手段３０７は、４個の第１可動部材３０２及び４個の第２可動部材３０３を初期位置と展開位置とに亙って移動させるために、可動ベース本体３１０（第１ベース３１１）に対して第１，第２スライドベース３２０，３２５を左右方向へ相対的に、且つ第１，第２スライドベース３２０，３２５を互いに反対方向へ移動させる移動手段３３０と、移動手段３３０による可動ベース本体３１０に対する第１，第２スライドベース３２０，３２５の相対的な移動を４個の第１可動部材３０２及び４個の第２可動部材３０３の初期位置から展開位置（放射方向）への移動、又は、展開位置から初期位置への移動に変換する作動変換手段３４０とを有する。
【０１３３】
移動手段３３０は、第１，第２スライド板３３１，３３２と、第１スライド板３３１を左右方向へ移動させる電動モータ３３３と、第１，第２スライド板３３１，３３２を連動連結して、第２スライド板３３２を左右方向へ、且つ第１スライド板３３１の移動方向と反対方向へ移動させるラック・ピニオン３３４とを有する。
【０１３４】
第１，第２スライド板３３１，３３２は、第２，第３ベース３１２，３１３の間に収容され、第１スライド板３３１は第２スライド板３３２よりも大きいサイズに形成され、第１スライド板３３１の下右部の上側に第２スライド板３３２が配置されている。第１，第２スライド板３３１，３３２は、夫々左右方向へ移動自在に第２ベース３１２にガイド支持されている。
【０１３５】
第１スライドベース３２０側のピン３２３ａの後端部が第１スライド板３３１に固定されて、第１スライドベース３２０と第１スライド板３３１が一体的に移動し、第２スライドベース３２５側のピン３２８ａの後端部が第２スライド板３３２に固定されて、第２スライドベース３２５と第２スライド板３３２が一体的に移動する。尚、第１，第２ベース３１１，３１２には、ピン３２３ａ，３２８ａが夫々貫通状に摺動自在に係合する左右方向に長いガイドスリット３２４ｄ，３２９ｄが形成されている。
【０１３６】
電動モータ３３３は、第１，第２ベース３１１，３１２の左部に前後貫通状に後向き姿勢で取付けられ、電動モータ３３３の出力軸に固着されたピニオン３３３ａが、第１スライド板３３１に形成されたラック３３３ｂに噛合している。
【０１３７】
ラック・ピニオン３３４は、第１スライド板３３１の下右部と第２スライド板３３２の間に配置されて、第１ベース３１１に回転自在に支持されたピニオン３３４ａと、第１，第２スライド板３３１，３２２に形成されてピニオン３３４ａが噛合するラック３３４ｂ，３３４ｃとを有する。尚、第２ベース３１２には、ピニオン３３４ａが干渉しないように配置される円形孔３３４ｄが形成されている。
【０１３８】
作動変換手段３４０は、４個の第１可動部材３０２及び４個の第２可動部材３０３を相互に異なる方向へ揺動させ、その際、４個の第２可動部材３０３を４個の第１可動部材３０２よりも大きく揺動させることで、４個の第１可動部材３０２及び４個の第２可動部材３０３を放射方向へ移動させる。
【０１３９】
作動変換手段３４０は、前記のように、第１，第２スライドベース３２０，３２５と第１ベース３１１の間に可動に収容された４個の第１揺動アーム３４１及び４個の第２揺動アーム３４２であって、４個の第１可動部材３０２に夫々一体的に連結された４個の第１揺動アーム３４１と、４個の第２可動部材３０３に夫々一体的に連結された４個の第２揺動アーム３４２と、第１ベース３１１に形成され４個の第１揺動アーム３４１が夫々係合する４個の第１カム溝３４３と、第１ベース３１１に形成され４個の第２揺動アーム３４２が夫々係合する４個の第２カム溝３４４とを有する。
【０１４０】
４個の第１可動部材３０２の筒状軸部３０２ａの後端部が、４個の第１揺動アーム３４１の基端側部分に夫々固着され、４個の第１揺動アーム３４１の先端部分に後方突出状に設けられた従動子３４１ａが４個の第１カム溝３４３に夫々摺動自在に係合し、また、４個の第２可動部材３０３の軸部３０３ａの後端部が、４個の第２揺動アーム３４２の基端側部分に夫々固着され、４個の第２揺動アーム３４２の先端部分に後方突出状に設けられた従動子３４２ａが４個の第２カム溝３４４に夫々摺動自在に係合している。尚、各揺動アーム３４１，３４２の長さ方向両端のうち、可動ベース本体３１０の中心側に近い方を基端とし、その反対を先端とする。
【０１４１】
各ペアの第１，第２可動部材３０２，３０３の筒状軸部３０２ａと軸部３０３ａは、同軸上にあり、故に、各ペアの第１，第２可動部材３０２，３０３に対応する第１，第２揺動アームの少なくとも前後に重なりあった基端側部分に夫々固着されている。
【０１４２】
つまり、第１，第２スライドベース３２０，３２５が互いに離隔する方向へ移動すると、第１スライドベース３２０と一体的に移動する左側２個の第１可動部材３０２の筒状軸部３０２ａ及び左側２個の第２可動部材３０３の軸部３０３ａと、第２スライドベース３２５と一体的に移動する右側２個の第１可動部材３０２の筒状軸部３０２ａ及び右側２個の第２可動部材３０３の軸部３０３ａとの間の間隔が広がるとともに、４個の第１揺動アーム３４１と、それの従動子３４１ａが係合する４個の第１カム溝３４３、及び４個の第２揺動アーム３４２と、それら従動子３４２ａが係合する４個の第２カム溝３４４によって、４個の第１可動部材３０２及び４個の第２可動部材３０３が放射方向へ揺動して、前記空間３０６が拡大する。
【０１４３】
逆に、第１，第２スライドベース３２０，３２５が互いに接近する方向へ移動すると、第１スライドベース３２０と一体的に移動する左側２個の第１可動部材３０２の筒状軸部３０２ａ及び左側２個の第２可動部材３０３の軸部３０３ａと、第２スライドベース３２５と一体的に移動する右側２個の第１可動部材３０２の筒状軸部３０２ａ及び右側２個の第２可動部材３０３の軸部３０３ａとの間の間隔が狭まるとともに、４個の第１揺動アーム３４１と、それの従動子３４１ａが係合する４個の第１カム溝３４３、及び４個の第２揺動アーム３４２と、それら従動子３４２ａが係合する４個の第２カム溝３４４によって、４個の第１可動部材３０２及び４個の第２可動部材３０３が放射方向と逆方向へ揺動して、前記空間３０６が縮小する。
【０１４４】
但し、４個の第１可動部材３０２、及び４個の第２可動部材３０３が初期位置にある状態から、第１，第２スライドベース３２０，３２５が互いに離隔する方向へ移動する際、先ず、４個の第１可動部材３０２及び４個の第２可動部材３０３のうち、左下の第１，第２可動部材３０２，３０３だけが揺動して展開途中位置に切り換わるように、４個の第１カム溝３４３、及び４個の第２カム溝３４４が形成されている。
【０１４５】
また、作動変換手段３４０は、移動手段３３０による可動ベース本体３１０に対する第１スライドベース３２０（第１スライド板３３１）の相対的な移動を、第３可動部材３０４の初期位置から展開位置への移動、又は、展開位置から初期位置への移動に変換すると共に、第４可動部材３０５の初期位置から展開位置への移動、又は、展開位置から初期位置への移動に変換する。
【０１４６】
そのために、この作動変換手段３４０は、第３可動部材３０４にその軸３０４ａと偏心した位置に設けられた従動子３０４ｂと、この従動子３０４ｂが摺動自在に係合するように第１スライド板３３１に形成されたカム溝３０４ｃと、第４可動部材３０５にその軸３０５ａと偏心した位置に設けられた従動子３０５ｂと、この従動子３０５ｂが摺動自在に係合するように第１スライド板３３１に形成されたカム溝３０５ｃとを有する。
【０１４７】
但し、第３，第４可動部材３０４，３０５が初期位置にある状態から、第１，第２スライドベース３２０，３２５が互いに離隔する方向へ移動する際、先ず、第３，第４可動部材３０４，３０５のうち、第３可動部材３０４だけが揺動して展開途中位置に切り換わるように、カム溝３０４ｃ，３０５ｃが形成されている。
【０１４８】
ところで、従来の多くの遊技機には、遊技演出用の可動役物を有する演出役物装置が装備されているが、本発明のように、複数の可動部材３０２，３０３を有する演出役物装置３００において、如何にそれら可動部材２０２，２０３の斬新な動作を実現して、演出効果を高め得る遊技演出を行うことができるかが課題である。
【０１４９】
そこで、この演出役物装置３００によれば、第２駆動手段３０７により、複数の可動部材３０２，３０３の基端側を接近させた初期位置から、これら複数の可動部材３０２，３０３の基端側に形成される空間３０６が拡大していくように、複数の可動部材３０２，３０３を相互に異なる放射方向へ移動させるようにしたので、複数の可動部材３０２，３０３の斬新な動作を実現して、演出効果を高め得る遊技演出を行うことが可能になる。
【０１５０】
この場合、相対的に移動可能な第１ベース３１１とスライドベース３２０，３２５とに、複数の可動部材３０２，３０３を可動に連結し、第２駆動手段３０７は、スライドベース３２０，３２５を第１ベース３１１に対して相対的に移動させる移動手段３３０と、移動手段３３０による第１ベース３１１に対するスライドベース３２０，３２５の相対的な移動を複数の可動部材３０２，３０３の初期位置から放射方向への移動に変換する作動変換手段３４０とを有し、更に、作動変換手段３４０は、複数の第１可動部材３０２を揺動させると共に、複数の第２可動部材３０３を複数の第１可動部材３０２よりも大きく揺動させるので、複数の可動部材３０２，３０３の放射方向への移動を確実に実現できる。
【０１５１】
尚、前記の複数可動部材３０２，３０３及び第２駆動手段３０７の代わりに、次の複数の可動部材及び第２駆動手段を採用してもよい。図示省略するが、その複数の可動部材は、可動役物部材３０１ベース部材に装着された複数の第１可動部材を有し、その第２駆動手段は、複数の第１可動部材と可動役物部材３０１とを夫々連結する複数の第１リンク機構と、複数の第１リンク機構を作動させて、複数の第１可動部材を揺動させる為のスライド部材とを有する。
【０１５２】
この場合、その複数の可動部材は、複数の第１可動部材に夫々回動自在に装着された複数の第２可動部材を有し、その第２駆動手段は、第１リンク機構の作動により第１可動部材に対して第２可動部材を相対的に揺動させるように、複数の第２可動部材と複数の第１リンク機構とを夫々連結する複数の第２リンク機構を有する。
【０１５３】
○［電飾パネル］
電飾パネル６（下部パネル部６）について説明する。
電飾パネル６は、前記（図１参照）のように、筐体３の前面部を開閉する前面扉２において、リール１１，１２，１３の表示窓４ａを形成する中段パネル部４の下側部分に設けられ、遊技機を電飾し且つ遊技演出を行うことが可能である。
【０１５４】
図４４、図４５に示すように、電飾パネル６は、その本体部となる電飾装置４００と、電飾装置４００をカバーするパネルカバー４０１と、電飾装置４００及びパネルカバー４０１を保持するパネル保持枠４０２とを有する。
【０１５５】
電飾装置４００は、正面視にて左右長が上下長よりも長い（上下長の約３倍の）矩形状に形成されて、前後に多少の厚みを有する。パネルカバー４０１は、電飾装置４００の前面をカバーする透明カバー板部４０１ａと、電飾装置４００の外周をカバーする外周カバー部４０１ｂとを有し、パネル保持枠４０２は、パネルカバー４０１の外周カバー部４０１ｂに外嵌される外周枠部４０２ａと、パネルカバー４０１の透明カバー板部４０１ａの外周近傍の前面部分に前側から当接する前面枠部４０２ｂとを有する。
【０１５６】
電飾装置４００について詳しく説明する。
図４４〜図５５に示すように、電飾装置４００は、光透過性の有る表面装飾パネル４１０と、表面装飾パネル４１０の後面（裏面）側に積層状に配置された主発光部材４２０（第１発光部材４２０）と、表面装飾パネル４１０及び主発光部材４２０の後面側に積層状に配置された発光パネル４３０（第２発光部材４３０）と、発光パネル４３０の後面側に積層状に配置されたＬＥＤ基板４４０と、ＬＥＤ基板４４０の前面（表面）に実装された複数のＬＥＤ４５０，４５１，４５２（第１光源）、複数のＬＥＤ４５３，４５４（第２光源）、及び複数のＬＥＤ４５５とを有する。尚、各ＬＥＤはカラー発光可能なものである。
【０１５７】
表面装飾パネル４１０、主発光部材４２０、発光パネル４３０、及びＬＥＤ基板４４０は、複数のビス（場合により接着剤）等の固定手段により互いに固定され、一体化された電飾装置４００が構成されている。
【０１５８】
図４４、図４５、図４６に示すように、表面装飾パネル４１０は、正面視にてその外形が電飾装置４００の外形をなす矩形状に形成され、横断面にて僅かに前方へ膨らむように反る湾曲形状に形成されて、パネルカバー４０１の透明カバー板部４０１ａの後面に近接状に臨み、その形状に応じて、パネルカバー４０１及びパネル保持枠４０２は、同様に、横断面にて僅かに前方へ膨らむように反る湾曲形状に形成されている。
【０１５９】
表面装飾パネル４１０は、その多く（１／２以上）を占める中央透過部４１１と、中央透過部４１１の右側に設けられた右装飾部４１２と、中央透過部４１１及び右装飾部４１２の左右両側に設けられた左サイド装飾部４１３、及び右サイド装飾部４１４とを有する。右装飾部４１２には、本機種特有のキャクタが描かれ、左右のサイド装飾部４１３，４１４には、夫々多数の凹凸及び溝が形成されている。  
【０１６０】
表面装飾パネル４１０は、基本的に、その全体（中央透過部４１１、右装飾部４１２、左右のサイド装飾部４１３，４１４）から、主発光部材４２０の発光表示される第１模様部（中央模様部４２１、複数の枝状模様部４２２）、及び発光パネル４３０の発光表示される第２模様部（左右の模様部４３４，４３５）を透過して表示させるが、右装飾部４１２と左右のサイド装飾部４１３，４１４は、発光表示される第１，第２模様部と融合されるように、第１，第２模様部から発せられた光によって発光表示される。
【０１６１】
図４６〜図５１に示すように、主発光部材４２０は、その中央側の所定領域に設けられて表面装飾パネル４１０の上下長と略同じ直径の正面視円形状に形成された中央模様部４２１であって、複数のＬＥＤ４５０により発光表示される中央模様部４２１と、中央模様部４２１から外側へ放射状に延びるように設けられた複数（１０個）の枝状模様部４２２（第１導光部４２２）であって、複数のＬＥＤ４５１，４５２により発光表示される複数の枝状模様部４２２とを有する。
【０１６２】
中央模様部４２１は、断面にて前方凸となる皿状部材４２１Ａにより形成されて、その中央模様部４２１には、その中央側の円形領域に本機種特有のエンブレムが描かれるとともに、その外周側のリング形状の環状領域に本機種特有の文字群が描かれ、それらの後面側全体に拡散レンズ部４２１ａが形成されている。
【０１６３】
複数の枝状模様部４２２は、発光パネル４３０の前面側、且つ表面装飾パネル４１０の右装飾部４１２及び右サイド装飾部４１４と対応する領域以外の領域において、中央模様部４２１の略中央を中心に、周方向へ略等角度おきに配置され、それらの基端部が皿状部材４２１Ａの外周部に繋がっている。
【０１６４】
複数の枝状模様部４２２は、互いに長さや形状を異ならせているが、夫々その表面が円筒面状に形成され、複数の枝状模様部４２２には、夫々その長さ方向全長に亙って後方へ臨み且つ基端側が皿状部材４２１Ａ内に臨む長尺レンズ部４２２ａが形成されている。
【０１６５】
図４６〜図４９、図５２〜図５５に示すように、発光パネル４３０は、正面視にて表面装飾パネル４１０と略同形同サイズの矩形状に形成され、この発光パネル４３０は、複数のＬＥＤ４５０からの光を受けて主発光部材４２０の中央模様部４２１へ出射する中央光透過部４３１と、複数のＬＥＤ４５１，４５２からの光を受けて主発光部材４２０の複数の枝状模様部４２２へ夫々出射する複数（１０個）の帯状光透過部４３２と、複数のＬＥＤ４５５からの光を受けて表面装飾パネル４１０の右装飾部４１２へ出射する右光透過部４３３とを有する。
【０１６６】
中央光透過部４３１は、主発光部材４２０の中央模様部４２１に対応する位置に設けられて、対応する形状及びサイズで形成され、つまり、発光パネル４３０の中央側の所定領域に設けられた中央光透過部４３１の前面側に、主発光部材４２０の中央模様部４２１が配置されている。
【０１６７】
中央光透過部４３１は中央拡散レンズ部４３１からなり、この中央拡散レンズ部４３１は、その中央を中心に６０度間隔で６等分された６個のノコギリ断面形状のフネレズレンズ４３１ａにより構成されている。６個のフネレズレンズ４３１ａの後側に６個のＬＥＤ４５０が夫々配置され、６個のＬＥＤ４５０の光が６個のフネレズレンズ４３１ａにより夫々拡散されて、主発光部材４２０の中央模様部４２１に出射され、その光によって中央模様部４２１が前面全体から発光する。
【０１６８】
複数の帯状光透過部４３２は、主発光部材４２０の複数の枝状模様部４２２に夫々対応する位置に設けられて、対応する形状及び長さで形成され、つまり、発光パネル４３０に中央光透過部４３１から外側へ放射状に延びるように設けられた複数の帯状光透過部４３２の前面側に、主発光部材４２０の複数の枝状模様部４２２が夫々配置されている。複数の帯状光透過部４３２には、夫々その長さ方向全長に亙って前方へ臨む長尺レンズ部４３２ａが形成されている。
【０１６９】
ＬＥＤ基板４４０の左部前面側に大部分が位置する３個の帯状光透過部４３２の各々には、その後面側に２個の後方凸の鈍角３角形状の導光片４３６が帯状光透過部４３２の長さ方向に並べて固定的に設けられ、それら２個の導光片４３６の鈍角側の中央角部に対する対辺部を帯状光透過部４３２に全長に亙って近接させている。
【０１７０】
前記の３個の帯状光透過部４３２の上側の１個の帯状光透過部４３２には、その後面側に１個の導光片４３６と１個の導光バー４３７（第２導光部４３７）が帯状光透過部４３２の長さ方向に並べて固定的に設けられ、その導光片４３６の鈍角側の中央角部に対する対辺部と導光バー４３７を帯状光透過部４３２に全長に亙って近接させるとともに、導光バー４３７の基端側部分を後方へ屈曲させている。
【０１７１】
ＬＥＤ基板４４０の上端側に位置する４個の帯状光透過部４３２、及びＬＥＤ基板４４０の下端側に位置する２個の帯状光透過部４３２の各々には、その後面側に１個の導光バー４３７が固定的に設けられ、その導光バー４３７を帯状光透過部４３２に全長に亙って近接させるとともに、導光バー４３７の基端側部分を中央光透過部４３１の後側に位置させ、且つ後方へ屈曲させている。
【０１７２】
このように、合計７個の導光片４３６と、合計７個の導光バー４３７が夫々中央拡散レンズ部４３１側から外側へ延びるよう設けられ、７個の導光片４３６に夫々対応する７個のＬＥＤ４５１と、７個の導光バー４３７に夫々対応する７個のＬＥＤ４５２が設けられている。
【０１７３】
７個の導光片４３６の中央角部と７個のＬＥＤ４５１とが夫々対面するように配設され、７個の導光片４３６は、夫々がその中央角部からＬＥＤ４５１の光を導入して前面全体から発光可能であり、また、７個の導光バー４３７の基端部と７個のＬＥＤ４５２とが夫々対面するように配設され、７個の導光バー４３７は、夫々がその基端部からＬＥＤ４５２の光を導入して、導光バー４３７内において基端部から前方へ向かう光を屈曲部の内側傾斜面で先端側へ反射させて、前面全体から発光可能である。
【０１７４】
そして、７個の導光片４３６及び７個の導光バー４３７の前面全体から出射される光が、１０個の帯状光透過部４３２に夫々出射され、更に１０個の帯状光透過部４３２の長尺レンズ部４３２ａにより拡散されて、主発光部材４２０の１０個の枝状模様部４２２に夫々出射され、１０個の枝状模様部４２２が、更にそれら長尺レンズ部４２２ａにより夫々光を拡散して、その光によって表面全体から発光する。
【０１７５】
右光透過部４３３の後側に１０個のＬＥＤ４５５が分散状に配置され、この１０個のＬＥＤ４５５の光が、右光透過部４３３を透過して右装飾部４１２に当って、右装飾部４１２が発光表示される。
【０１７６】
更に、発光パネル４３０は、中央光透過部４３１の左側に８個の帯状光透過部４３２以外の領域に設けられて、複数のＬＥＤ４５３により発光表示される左模様部４３４と、中央光透過部４３１の右側に２個の帯状光透過部４３２及び右光透過部４３３以外の領域に設けられて、複数のＬＥＤ４５４により発光表示される右模様部４３５と有する。左右の模様部４３４，４３５には、夫々多数の凹凸及び溝が形成されている。
【０１７７】
図４５〜図４７、図５４、図５５に示すように、ＬＥＤ基板４４０は、正面視にて発光パネル４３０よりも小さくて、左右長が上下長よりも長い（上下長の約３倍の）矩形状に形成され、発光パネル４３０の外形線よりも内側に配置されて、前記のように、そのＬＥＤ基板４４０の前面に複数のＬＥＤ４５０〜４５５が実装されている。
【０１７８】
ここで、前面扉２の中段パネル部４内、及び下部パネル部６の上部後面側に、メダル投入部２１から投入されたメダルか正規のメダルか否かを判別して振り分けるセレクタ６２が設けられ、このセレクタ６２とＬＥＤ基板４４０とが相互干渉しないように、ＬＥＤ基板４４０は、その上端が発光パネル４３０の上端よりも幾分下方に位置するように設けられ、また、ＬＥＤ基板４４０は、その下端も発光パネル４３０の下端よりも幾分上方に位置するように設けられている。
【０１７９】
このＬＥＤ基板４４０の構成上、ＬＥＤ基板４４０の前面に実装された７個のＬＥＤ４５３により、ＬＥＤ基板４４０の上端側と下端側に位置して正面視にてＬＥＤ基板４４０の外側まで延びる７個の帯状光透過部４３２の前面全体を発光可能に、つまり１０個の枝状模様部４２２の全体を発光可能に、７個の導光バー４３７が設けられている。
【０１８０】
ところで、従来の電飾パネルにおいては、絵柄が印された表面装飾パネルが、その後面側に設けられた光源により単に照明されて、常に同じ発光態様で表示され続けるもの、即ち遊技機を電飾するだけのものであったが、本発明のように、遊技機を電飾し且つ遊技演出を行うことが可能な電飾パネル６において、如何にその電飾パネル６による斬新な電飾を実現して、演出効果を高め得る構成とするかが課題である。
【０１８１】
そこで、この電飾パネル６によれば、光透過性の有る表面装飾パネル４１０と、表面装飾パネル４１０の後面側に積層状に配置され、複数のＬＥＤ４５０により発光表示される中央模様部４２１と、複数のＬＥＤ４５１，４５２により発光表示される複数の枝状模様部４２２とを有する主発光部材４２０と、表面装飾パネル４１０及び主発光部材４２０の後面側に積層状に配置され、複数のＬＥＤ４５０からの光を受けて中央模様部４２１へ出射する中央光透過部４２１と、複数のＬＥＤ４５１，４５２からの光を受けて複数の枝状模様部４２２へ出射する複数の帯状光透過部４３２と、複数のＬＥＤ４５３，４５４により発光表示される左右の模様部４３４，４３５とを有する発光パネル４３０とを備えた。
【０１８２】
従って、発光表示される中央模様部４２１、複数の枝状模様部４２２、左右の模様部４３４，４３５によって、本回動式遊技機１を鮮やかに電飾するだけでなく、複数のＬＥＤ４５０〜４５４を制御し、中央模様部４２１、複数の枝状模様部４２２、左右の模様部４３４，４３５を夫々可変に発光表示させて、電飾パネル６による斬新な電飾を実現して、演出効果が高い遊技演出を行うことが可能になる。しかも、３層構造の表面装飾パネル４１０、主発光部材４２０、発光パネル３０を備えた電飾パネル６の構成を簡単化し、つまり製造、組立て負荷を軽減して、製作コストを軽減できる。
【０１８３】
更に、発光パネル４３０の後面側に積層状に配置されたＬＥＤ基板４４０を備え、そのＬＥＤ基板４４０の前面に複数のＬＥＤ４５０〜４５４が実装されているので、表面装飾パネル４１０、主発光部材４２０、発光パネル３０と共に、ＬＥＤ基板４４０及び複数のＬＥＤ４５０〜４５４を互いに組付けて、前後方向の厚さが比較的小さな電飾パネル６を構成することができる。依って、筐体３内の機器に制約を受けずに、電飾パネル６を整然と前面扉２に取付けることが可能になる。
【０１８４】
中央光透過部４３１は、発光パネル４３０の中央側の所定領域に設けられた中央拡散レンズ部４３１からなり、その中央拡散レンズ部４３１の前面側に主発光部材４２０の中央模様部４２１が配置されているので、その中央模様部４２１を発光パネル４３０の中央側において全体的に綺麗に発光表示させることができる。
【０１８５】
発光パネル４３０は、中央拡散レンズ部４３１側から外側へ延びる複数の導光バー４３７であって、夫々がその端部からＬＥＤ４５２の光を導入して前面全体から発光可能な複数の導光バー４３７を有するので、複数の導光バー４３７から出射される光を主発光部材４２０の対応する複数の枝状模様部４２２に導入させて、それら複数の枝状模様部４２２を全体的に発光させることができる。
【０１８６】
主発光部材４２０の複数の枝状模様部４２２は、中央模様部４２１から外側へ延び、複数のＬＥＤ４５１，４５２の光により前面全体から発光可能であるので、複数の枝状模様部４２２を全体的に綺麗に発光表示させることができる。
【０１８７】
次に、前記実施例１を部分的に変更した別の実施例について説明する。尚、変更点以外の構成については、実施例１と同様であり、同一の符号を付して説明を省略する。
【実施例２】
【０１８８】
○［電飾パネル］
実施例２の電飾パネル６Ａは、実施例１の電飾パネル６の代わりに採用されるものであり、筐体３の前面部を開閉する前面扉２において、リール１１，１２，１３の表示窓４ａを形成する中段パネル部４の下側部分に設けられ、遊技機を電飾し且つ遊技演出を行うことが可能である。
【０１８９】
図５６、図５７に示すように、電飾パネル６Ａは、その本体部となる電飾装置５００と、電飾装置５００をカバーするパネルカバー５０１と、電飾装置５００及びパネルカバー５０１を保持するパネル保持枠５０２とを有する。
【０１９０】
電飾装置５００は、正面視にて左右長が上下長よりも長い（上下長の約３倍の）矩形状に形成されて、前後に多少の厚みを有する。パネルカバー５０１は、電飾装置５００の前面をカバーする透明カバー板部５０１ａと、電飾装置５００の外周をカバーする外周カバー部５０１ｂとを有し、パネル保持枠５０２は、パネルカバー５０１の外周カバー部５０１ｂに外嵌される外周枠部５０２ａと、パネルカバー５０１の透明カバー板部５０１ａの外周近傍の前面部分に前側から当接する前面枠部５０２ｂとを有する。尚、パネルカバー５０１及びパネル保持枠５０２は、横断面にて僅かに前方へ膨らむように反る湾曲形状に形成されている。
【０１９１】
電飾装置５００について詳しく説明する。
図５６〜図６６に示すように、電飾装置５００は、発光パネル５１０（発光部材５１０）と、発光パネル５１０の左右両部の前面（表面）側に積層状に配置された左装飾板５２０、及び右装飾板５３０と、発光パネル５１０の中央側に設けられた中央発光ユニット５４０と、発光パネル５１０の後面（裏面）側に積層状に設けられた複数組（１６組）の導光バー５５０と、発光パネル５１０、中央発光ユニット５４０、及び複数の導光バー５５０の後面側に積層状に配置されたＬＥＤ基板５６０と、ＬＥＤ基板５６０の前面に実装された複数のＬＥＤ５７０（第１光源）、複数のＬＥＤ５７１（第２光源）、及び複数のＬＥＤ５７２，５７３，５７４（第３光源）とを有する。尚、各ＬＥＤはカラー発光可能なものである。
【０１９２】
発光パネル５１０、左右の装飾板５２０，５３０、中央発光ユニット５４０、複数の導光バー５５０、及びＬＥＤ基板５６０は、複数のビス（場合により接着剤）等の固定手段により互いに固定され、一体化された電飾装置５００が構成されている。
【０１９３】
図５６〜図６３、図６５、図６６に示すように、発光パネル５１０は、正面視にてその外形が電飾装置５００の外形をなす矩形状に形成され、その前面は横断面にて僅かに前方へ膨らむように反る湾曲形状に形成され、発光パネル５１０の中央側には、発光パネル５１０の上下長と略同じ直径の円形開口５１１が形成されている。
【０１９４】
発光パネル５１０は、複数（８個）のＬＥＤ５７２により発光表示される左模様部５１２（第３模様部５１２）と、複数（８個）のＬＥＤ５７３により発光表示される右模様部５１３（第３模様部５１３）と、複数のＬＥＤ５７４により発光表示される複数（１６個）の枝状模様部５１４（第３模様部５１４）とを有する。
【０１９５】
左模様部５１２は、発光パネル５１０の円形開口５１１の左側に設けられ、右模様部５１３は、発光パネル５１０の円形開口５１１の右側に設けられ、これら左右の模様部５１２，５１３には、夫々多数の凹凸及び溝が形成されている。
【０１９６】
複数の枝状模様部５１４は、左側８個の枝状模様部５１４と右側８個の枝状模様部５１４とに分けられて、左模様部５１２と右模様部５１３の前面側において、円形開口５１１から外側へ放射状に延びるように設けられている。左側８個の枝状模様部５１４と右側８個の枝状模様部５１４は、夫々、円形開口５１１の略中央を中心に、周方向へ略等角度おきに配置され、互いに長さや形状を異ならせているが、左模様部５１２と右模様部５１３よりも前方へ突出して、その表面が円筒面状に形成されている。
【０１９７】
図５６、図５８、図５９に示すように、左装飾板５２０は、発光パネル５１０の左模様部５１２の左部前面側に配置され、その全体に多数の凹凸及び溝を形成してなる左サイド装飾部５２１を有する。右装飾板５３０は、発光パネル５１０の右模様部５１３の前面側に配置され、その右端側部分に多数の凹凸及び溝を形成してなる右サイド装飾部５３１を有し、残りの部分に本機種特有のキャクタが描かれた右装飾部５３２を有し、右装飾部５３２の左下部（一部）は、中央発光ユニット５４０の第１，第２模様部５４１ａ，５４２ａの前側に位置している。
【０１９８】
左右の装飾板５２０，５３０は、基本的に、その全体（左右のサイド装飾部５２１，５３１、右装飾部５３２）から、中央発光ユニット５４０の発光表示される第１，第２模様部５４１ａ，５４２ａ、及び発光パネル５１０の発光表示される第３模様部（左右の模様部５１２，５１３、複数の枝状模様部５１４）を透過して表示させるが、左右のサイド装飾部５２１，５３１と右装飾部５３２は、発光表示される第１，第２，第３模様部５４１ａ，５４２ａ，５１２，５１３，５１４と融合されるように、第１，第２，第３模様部５４１ａ，５４２ａ，５１２，５１３，５１４から発せられた光によって発光表示される。
【０１９９】
図５６、図５８〜図６１、図６３〜図６６に示すように、中央発光ユニット５４０は、円板状の第１発光部材５４１と、第１発光部材５４１の外周外側に配置されたリング形状の第２発光部材５４２と、第１発光部材５４１の後面側に配置された円板状の第１レンズ部材５４３、及び部分円錐形状（環状）の第１仕切部材５４４と、第２発光部材５４２の後面側に配置されたリング形状の第２レンズ部材５４５、及び部分円錐形状（環状）の第２仕切部材５４６とを有し、これらの部材５４１〜５４６が複数のビス（場合により接着剤）等の固定手段により互いに固定され、一体化された中央発光ユニット５４０が構成されている。
【０２００】
第１発光部材５４１は、本機種特有のエンブレムが描かれた正面視円形状の第１模様部５４１ａであって、複数のＬＥＤ５７０により発光表示される第１模様部５４１ａを有し、第２発光部材５４２は、本機種特有の文字群が描かれた正面視リング形状の第２模様部５４２ａであって、第１模様部５４１ａの外周外側に設けられて複数のＬＥＤ５７１より発光表示される第２模様部５４２ａとを有する。
【０２０１】
第２発光部材５４２は、断面にて前方凸となるリング皿状部材５４２Ａにより形成され、その外周部には、外側へ突出する複数（２０個）の突出部５４２ｂが形成されている。第２発光部材５４２は、発光パネル５１０の円形開口５１１に内嵌状に配置され、第２模様部５４２ａの外周外側に、発光パネル５１０の左右の模様部５１２，５１３及び複数の枝状模様部５１４が設けられ、１６個の突出部５４２ｂが、発光パネル５１０の１６個の枝状模様部５１４に夫々繋がった状態になる。
【０２０２】
第１仕切部材５４４は、第１発光部材５４１とＬＥＤ基板５６０との間に設けられ、複数のＬＥＤ５７０の光を第１模様部５４１ａに導く為の第１空間と複数のＬＥＤ５７１の光を第２模様部５４２ａに導く為の第２空間とを仕切るものであり、前方ほど（ＬＥＤ基板５６０から第１発光部材５４１に近づくほど）拡径し、且つ前端が第１発光部材５４１の外周（第２発光部材５４２の内周）に近接する部分円錐形状に形成されている。
【０２０３】
第２仕切部材５４６は、第２発光部材５４２とＬＥＤ基板５６０との間、且つ第１仕切部材５４４の外周外側に設けられ、複数のＬＥＤ５７１の光を第２模様部５４２ａに導く為の第２空間と複数のＬＥＤ５７２，５７２，５７４の光を左右の模様部５１２，５１３と複数の枝状模様部５１４に導く為の第３空間とを仕切るものであり、前方ほど（ＬＥＤ基板５６０から第２発光部材５４２に近づくほど）拡径し、且つ前端が第２発光部材５４２の外周に近接する部分円錐形状に形成されている。
【０２０４】
第１レンズ部材５４３は、第１発光部材５４１の後面側に積層状に、また、第１仕切部材５４４の前端側に、且つその外周が第１仕切部材５４４の前端内周に近接するように配置され、つまり第１仕切部材５４４の前端内周の直径と略同じ直径を有する円形状に形成され、その後面部全体にノコギリ断面形状のフネレズレンズ５４３ａ（拡散レンズ５４３ａ）が形成されている。
【０２０５】
第２レンズ部材５４５は、リング皿状部材５４２Ａ（第２発光部材５４２）に後側から収容され、つまりリング皿状部材５４２Ａの内周よりも少し大きな内周と、リング皿状部材５４２Ａの外周よりも少し小さな外周とを有するリング形状に形成され、その前面部全体と後面部全体にノコギリ断面形状のフネレズレンズ５４５ａ，５４５ｂ（拡散レンズ５４５ａ，５４５ｂ）が形成されている。
【０２０６】
第１レンズ部材５４３の後側であって、正面視にて第１仕切部材５４４の後端よりも内側に位置する領域に８個のＬＥＤ５７０が分散状に配置され、８個のＬＥＤ５７０の光は、第１仕切部材５４４の内側の第１空間を通って、第１レンズ部材５４３に至り、その第１レンズ部材５４３により拡散されて、第１発光部材５４１に照射され、その第１模様部５４１ａが発光表示される。
【０２０７】
第１レンズ部材５４３の後側であって、正面視にて第１仕切部材５４４の後端と第１仕切部材５４６の後端の間に位置する領域に１０個のＬＥＤ５７１が分散状に配置され、１０個のＬＥＤ５７１の光は、第１仕切部材５４４と第２仕切部材５４６の間の第２空間を通って、第２レンズ部材５４５に至り、その第２レンズ部材５４５により拡散されて、第２発光部材５４２に照射され、その第２模様部５４２ａが発光表示される。
【０２０８】
図５８、図５９、図６１、図６２、図６６に示すように、複数組の導光バー５５０は、発光パネル５１０の複数の枝状模様部５１４に夫々対応する位置に設けられて、対応する形状及び長さで構成され、つまり、発光パネル５５０の中央開口５５１側から外側へ放射状に延びるように設けられた複数組の導光バー５５０の前面側に、発光パネル５１０の複数の枝状模様部５１４が夫々配置されている。
【０２０９】
複数組の導光バー５５０の基端側部分は、中央開口５５１側へ突出して、第２仕切部材５４６の前端外周よりも中心側に位置するとともに、第２仕切部材５４６の周面に近接している。各組の導光バー５５０は、その長さに応じて１個又は２個又は３個の導光バー部材５５０ａからなり、２個又は３個の導光バー部材５５０ａを有するものでは、それら導光バー部材５５０ａを長さ方向に直列状に接続して構成され、各導光バー部材５５０ａは、その基端側部分をＬＥＤ基板５６０の前側に位置させ、且つ後方へ屈曲させている。
【０２１０】
１個の導光バー部材５５０ａからなる導光バー５５０が８組、２個の導光バー部材５５０ａからなる導光バー５５０が４組、３個の導光バー部材５５０ａからなる導光バー５５０が４組あり、合計２８個の導光バー部材５５０ａと、２８個の導光バー部材５５０ａに夫々対応する２８個のＬＥＤ５７４が設けられ、更に、２８個の導光バー部材５５０ａのうちの８個の導光バー部材５５０ａ（２個の導光バー部材５５０ａからなる４組の導光バー５５０と、３個の導光バー部材５５０ａからなる４組の導光バー５５０に１個ずつ設けられている導光バー部材５５０ａ）に夫々対応する８個のＬＥＤ５７４が設けられ、ＬＥＤ５７４は合計３８個設けられている。
【０２１１】
尚、左上３組の導光バー５５０（４個の導光バー部材) はパネル部材５５０ｃを介して一体化され、右上３組の導光バー５５０（４個の導光バー部材) はパネル部材５５０ｃを介して一体化されている（図６２）。２８個の導光バー部材５５０ａの基端部と２８個のＬＥＤ５７４とが夫々対面するように配設され、２８個の導光バー部材５５０ａは、夫々がその基端部からＬＥＤ５７４の光を導入して、導光バー部材５５０ａ内において基端部から前方へ向かう光を屈曲部の内側傾斜面で先端側へ反射させる。
【０２１２】
更に、２８個の導光バー部材５５０ａのうちの前記８個の導光バー部材５５０ａには、それらの長さ方向途中部に８個の途中光導入部５５０ｂが後方突出状に形成され（図６９、図６１、図６２）、その８個の途中光導入部５５０ｂと８個のＬＥＤ５７４とが夫々対面するように配設され、８個の導光バー部材５５０ａは、夫々がその途中光導入部５５０ｂからもＬＥＤ５７４の光を導入する。こうして、２８個の導光バー部材５５０ａは、前面全体から発光可能である。そして、２８個の導光バー部材５５０ａ、つまり１６組の導光バー５５０の前面全体から出射される光が、発光パネル５１０の１６個の枝状模様部５１４に夫々出射され、それら枝状模様部５１４が夫々発光する。
【０２１３】
図５７〜図５９、図６５、図６６に示すように、ＬＥＤ基板５６０は、正面視にて発光パネル５００よりも小さくて、左右長が上下長よりも長い（上下長の約３倍の）矩形状に形成され、発光パネル５００の外形線よりも内側に配置されて、前記のように、そのＬＥＤ基板５６０の前面に複数のＬＥＤ５７０〜５７４が実装されている。
【０２１４】
ここで、前面扉２の中段パネル部４内、及び下部パネル部６（６Ａ）の上部後面側に、メダル投入部２１から投入されたメダルか正規のメダルか否かを判別して振り分けるセレクタ６２が設けられ、このセレクタ６２とＬＥＤ基板５６０とが相互干渉しないように、ＬＥＤ基板５６０は、その上端が発光パネル５００の上端よりも幾分下方に位置するように設けられ、また、ＬＥＤ基板５６０は、その下端も発光パネル５００の下端よりも幾分上方に位置するように設けられている。
【０２１５】
このＬＥＤ基板５６０の構成上、ＬＥＤ基板５６０の前面に実装された２８個のＬＥＤ５７４により、正面視にてＬＥＤ基板５６０の外側まで延びる枝状模様部５１４を含めて、１６個の枝状模様部５１４の全体を発光可能に、１６組の導光バー５５０（２８個の導光バー部材５５０ａ）が設けられている。
【０２１６】
ところで、従来の電飾パネルにおいては、絵柄が印された表面装飾パネルが、その後面側に設けられた光源により単に照明されて、常に同じ発光態様で表示され続けるもの、即ち遊技機を電飾するだけのものであったが、本発明のように、遊技機を電飾し且つ遊技演出を行うことが可能な電飾パネル６Ａにおいて、如何にその電飾パネル６による斬新な電飾を実現して、演出効果を高め得る構成とするかが課題である。
【０２１７】
そこで、この電飾パネル６Ａによれば、複数のＬＥＤ５７０により発光表示される第１模様部５４１ａを有する第１発光部材５４１と、第１模様部５４１ａの外周外側に設けられて複数のＬＥＤ５７１により発光表示される第２模様部５４２ａを有する第２発光部材５４２と、第１，第２発光部材５４１，５４２の後面側に設けられ、複数のＬＥＤ５７０，５７１が前面に実装されたＬＥＤ基板５６０と、第１，第２発光部材５４１，５４２とＬＥＤ基板５６０との間に設けられ、複数のＬＥＤ５７０の光を第１模様部５４１ａに導く為の第１空間と複数のＬＥＤ５７１の光を第２模様部５４２ａに導く為の第２空間とを仕切る環状の第１仕切部材５４４とを備えた。
【０２１８】
更に、第２模様部５４２ａの外周外側に設けられて複数のＬＥＤ５７２，５７３，５７４により発光表示される左右の模様部５１２，５１３と複数の枝状模様部５１４と有する発光パネル５１０を備え、その発光パネル５１０の後面側にＬＥＤ基板５６０を設けて、そのＬＥＤ基板５６０の前面に複数のＬＥＤ５７２，５７３，５７４を実装し、発光パネル５１０及び第１，第２発光部材５４１，５４２とＬＥＤ基板５６０との間、且つ第１仕切部材５４４の外周外側に設けられ、第２空間と複数のＬＥＤ５７２，５７３，５７４の光を左右の模様部５１２，５１３と複数の枝状模様部５１４に導く為の第３空間とを仕切る環状の第２仕切部材５４６を備えた。
【０２１９】
従って、発光表示される第１，第２模様部５４１，５４２、左右の模様部５１２，５１３、複数の枝状模様部５１４によって、本回動式遊技機１を鮮やかに電飾するだけでなく、複数のＬＥＤ４７０〜４７４を制御し、第１，第２模様部５４１，５４２、左右の模様部５１２，５１３、複数の枝状模様部５１４を夫々可変に発光表示させて、電飾パネル６Ａによる斬新な電飾を実現して、演出効果が高い遊技演出を行うことが可能になる。しかも、第１仕切部材５４４によって、第１，第２模様部５４１，５４２を、それらの境界が明瞭になるように発光表示させることができ、更に、第２仕切部材５４６によって、第２模様部５４２と、左右の模様部５１２，５１３及び複数の枝状模様部５１４を、それらの境界が明瞭になるように発光表示させることができる。
【０２２０】
第１模様部５４１が正面視円形状に形成され、第２模様部５４２ａが正面視リング形状に形成され、第１，第２仕切部材５４４，５４６が夫々前方ほど拡径する部分円錐形状に形成されているので、電飾パネル６Ａの中央側に第１模様部５４１ａを設け、その第１模様部５４２ａを囲むように第２模様部５４２ａを設け、その第２模様部５４２ａの外周外側に左右の模様部５１２，５１３及び複数の枝状模様部５１４を設けて、それらの境界が明瞭になるように発光表示させることができる。
【０２２１】
更に、第１，第２仕切部材５４４，５４６を前方ほど拡径する部分円錐形状に形成することで、複数のＬＥＤ５７１の光を第２模様部５４２ａに導く為の第２空間を確保したうえで、例えば、正面視にて、複数の枝状模様部５１４が、第２模様部５４２ａの外周よりも内側から外側へ延びるように設けることができるので、意図する第１，第２模様部５４１ａ，５４２ａと複数の枝状模様部５１４の発光表示を実現することができる。
【０２２２】
尚、本発明については、その趣旨を逸脱しない範囲において、前記開示事項期外の種々の変更を付加して実施することが可能である。そして、本発明については、前記回胴式遊技機以外の種々の回動式遊技に適用してもよいし、場合によっては、回動式遊技機以外にパチンコ遊技機等の種々の遊技機に適用可能である。
【符号の説明】
【０２２３】
１  回胴式遊技機
２  前面扉
３  筐体
６，６Ａ  下部パネル，電飾パネル
７  画像表示器
７ａ  画面
８  可動役物
１０１  アーム部材
１０２  ベース部材
１０３  第１案内機構
１０４  第１昇降駆動手段
１０５  第２案内機構
１０６  第２昇降駆動手段，第１駆動手段
１１７  第１ガイドロッド
１１８ｅ  第１リニアガイド
１５４  第２ガイドロッド
３００  演出役物装置
３０２  第１可動部材
３０３  第２可動部材
３０７  役物駆動手段
３１１  第１ベース（第１部材）
３２０  第１スライドベース（第２部材）
３２５  第２スライドベース（第２部材）
３３０  移動手段
３４０  作動変換手段
４１０  表面装飾パネル
４２０  主発光部材（第１発光部材）
４２１  中央模様部（第１模様部，第１導光部）
４２２  枝状模様部（第１模様部）
４３０  発光パネル（第２発光部材）
４３１  中央光透過部（中央拡散レンズ部）
４３２  帯状光透過部
４３４  左模様部（第２模様部）
４３５  右模様部（第２模様部）
４３７  導光バー（第２導光部）
４４０  ＬＥＤ基板
４５０，４５１，４５２  ＬＥＤ（第１光源）
４５３，４５４  ＬＥＤ（第２光源）
５１０  発光パネル（発光部材）
５１２  左模様部（第３模様部）
５１３  右模様部（第３模様部）
５１４  枝状模様部（第３模様部）
５４１  第１発光部材
５４１ａ  第１模様部
５４２  第２発光部材
５４２ａ  第２模様部
５４４  第１仕切部材
５４６  第２仕切部材
５６０  ＬＥＤ基板
５７０  ＬＥＤ（第１光源）
５７１  ＬＥＤ（第２光源）
５７２，５７３，５７４  ＬＥＤ（第３光源）
６００  演出制御手段
【図１】
2016032492.tif 000003
【図２】
2016032492.tif 000004
【図３】
2016032492.tif 000005
【図４】
2016032492.tif 000006
【図５】
2016032492.tif 000007
【図６】
2016032492.tif 000008
【図７】
2016032492.tif 000009
【図８】
2016032492.tif 000010
【図９】
2016032492.tif 000011
【図１０】
2016032492.tif 000012
【図１１】
2016032492.tif 000013
【図１２】
2016032492.tif 000014
【図１３】
2016032492.tif 000015
【図１４】
2016032492.tif 000016
【図１５】
2016032492.tif 000017
【図１６】
2016032492.tif 000018
【図１７】
2016032492.tif 000019
【図１８】
2016032492.tif 000020
【図１９】
2016032492.tif 000021
【図２０】
2016032492.tif 000022
【図２１】
2016032492.tif 000023
【図２２】
2016032492.tif 000024
【図２３】
2016032492.tif 000025
【図２４】
2016032492.tif 000026
【図２５】
2016032492.tif 000027
【図２６】
2016032492.tif 000028
【図２７】
2016032492.tif 000029
【図２８】
2016032492.tif 000030
【図２９】
2016032492.tif 000031
【図３０】
2016032492.tif 000032
【図３１】
2016032492.tif 000033
【図３２】
2016032492.tif 000034
【図３３】
2016032492.tif 000035
【図３４】
2016032492.tif 000036
【図３５】
2016032492.tif 000037
【図３６】
2016032492.tif 000038
【図３７】
2016032492.tif 000039
【図３８】
2016032492.tif 000040
【図３９】
2016032492.tif 000041
【図４０】
2016032492.tif 000042
【図４１】
2016032492.tif 000043
【図４２】
2016032492.tif 000044
【図４３】
2016032492.tif 000045
【図４４】
2016032492.tif 000046
【図４５】
2016032492.tif 000047
【図４６】
2016032492.tif 000048
【図４７】
2016032492.tif 000049
【図４８】
2016032492.tif 000050
【図４９】
2016032492.tif 000051
【図５０】
2016032492.tif 000052
【図５１】
2016032492.tif 000053
【図５２】
2016032492.tif 000054
【図５３】
2016032492.tif 000055
【図５４】
2016032492.tif 000056
【図５５】
2016032492.tif 000057
【図５６】
2016032492.tif 000058
【図５７】
2016032492.tif 000059
【図５８】
2016032492.tif 000060
【図５９】
2016032492.tif 000061
【図６０】
2016032492.tif 000062
【図６１】
2016032492.tif 000063
【図６２】
2016032492.tif 000064
【図６３】
2016032492.tif 000065
【図６４】
2016032492.tif 000066
【図６５】
2016032492.tif 000067
【図６６】
2016032492.tif 000068
【手続補正書】
【提出日】平成27年9月28日(2015.9.28)
【手続補正１】
【補正対象書類名】明細書
【補正対象項目名】０００７
【補正方法】変更
【補正の内容】
【０００７】
第１の発明は、遊技演出を行う演出役物装置(300) を備えた遊技機(1) において、前記演出役物装置(300) は、複数の可動部材(302,303) と、前記複数の可動部材(302,303) の基端部の各々が少なくとも他の１つの基端部と当接する状態に接近させた所定位置から、これら複数の可動部材(302,303) の基端部が所定方向に離隔するように移動すると共に、前記複数の可動部材(302,303) を前記演出役物装置(300)の中心部を起点として相互に異なる放射方向へ向くように回動させる役物駆動手段(307) とを備えたことを特徴とする。
【手続補正２】
【補正対象書類名】明細書
【補正対象項目名】０００８
【補正方法】変更
【補正の内容】
【０００８】
第２の発明は、第１の発明において、前記演出役物装置(300) は、前記複数の可動部材(302,303) が可動に連結された第１，第２部材(311,320/325) であって、相対的に移動可能に設けられた第１，第２部材(311,320/325) を有し、前記役物駆動手段(307) は、前記第１，第２部材(311,320/325) の一方に対して他方を相対的に移動させる移動手段(330) と、前記移動手段(330) による前記第１，第２部材(311,320/325) の一方に対する他方の相対的な移動を前記複数の可動部材(302,303) の前記所定位置から前記放射方向への回動に変換する作動変換手段(340) とを有することを特徴とする。
【手続補正３】
【補正対象書類名】特許請求の範囲
【補正対象項目名】全文
【補正方法】変更
【補正の内容】
【特許請求の範囲】
【請求項１】
遊技演出を行う演出役物装置を備えた遊技機において、
前記演出役物装置は、
複数の可動部材と、
前記複数の可動部材の基端部の各々が少なくとも他の１つの基端部と当接する状態に接近させた所定位置から、これら複数の可動部材の基端部が所定方向に離隔するように移動すると共に、前記複数の可動部材を前記演出役物装置の中心部を起点として相互に異なる放射方向へ向くように回動させる役物駆動手段とを備えたことを特徴とする遊技機。
【請求項２】
前記演出役物装置は、
前記複数の可動部材が可動に連結された第１，第２部材であって、相対的に移動可能に設けられた第１，第２部材を有し、
前記役物駆動手段は、
前記第１，第２部材の一方に対して他方を相対的に移動させる移動手段と、
前記移動手段による前記第１，第２部材の一方に対する他方の相対的な移動を前記複数の可動部材の前記所定位置から前記放射方向への回動に変換する作動変換手段とを有することを特徴とする請求項１に記載の遊技機。